(57)【要約】本発明は、衣類の汚染度及びシワを演算してコース又はオプションを決定するか、汚染度やシワがある部分を集中的に処理するか、汚染度やシワが基準値以上であると、洗濯機で洗濯することを勧めるか、又はサーバー又は洗濯機が衣類の洗濯に適するコース又はオプションの決定を導く衣類装置を含むオンラインシステム及びその制御方法に関する。
2021535822.tif 000002
【特許請求の範囲】
【請求項１】
衣類装置であって、
前方に開口部を備えるキャビネット；
前記キャビネットに備えられて衣類を収容する空間を提供する内箱；
前記キャビネットに備えられて前記空間に熱風又はスチームを供給する供給部；
前記キャビネット又は前記内箱に結合して前記開口部を開閉するドア；
前記内箱と前記ドアの何れかに備えられて前記空間又は前記衣類の状態を感知するセンサ部；及び
前記センサ部と前記供給部のうちの１つ以上を制御して前記衣類の汚染度又はシワの程度を感知する制御部；を備えることを特徴とする、衣類装置。
【請求項２】
前記センサ部は前記内箱と前記ドアのうちの１つ以上に備えられて前記空間又は前記衣類を撮影する内部カメラを備え、
前記制御部は前記内部カメラで撮影された映像により前記衣類の汚染度又はシワの程度を感知することを特徴とする、請求項１に記載の衣類装置。
【請求項３】
前記センサ部は前記内箱と前記ドアのうちの１つ以上に備えられて前記空間の気体状態を感知するガスセンサを備え、
前記制御部は前記ガスセンサで感知された測定値により前記衣類の汚染度を感知することを特徴とする、請求項１に記載の衣類装置。
【請求項４】
前記制御部は前記ガスセンサと前記供給部を共に制御して前記衣類の汚染度を感知することを特徴とする、請求項３に記載の衣類装置。
【請求項５】
前記制御部は、
前記供給部を駆動する前の前記ガスセンサの測定値と、
前記供給部を駆動した後の前記ガスセンサの測定値とを比較して、前記衣類の汚染度を感知することを特徴とする、請求項４に記載の衣類装置。
【請求項６】
前記供給部を制御して前記衣類を再生する任意のコース又はオプションが貯蔵されている貯蔵部を更に備え、
前記制御部は、前記任意のコース又はオプションのうち、前記汚染度又は前記シワの程度に対応するコース又はオプションを決定することを特徴とする、請求項１に記載の衣類装置。
【請求項７】
前記キャビネット及び前記ドアの何れかに備えられて前記制御部の信号を表示する表示部を更に備え、
前記制御部は決定されたコース又はオプションを前記表示部に表示することを特徴とする、請求項６に記載の衣類装置。
【請求項８】
前記キャビネット及び前記ドアの何れかに備えられて前記制御部の信号を表示する表示部を更に備え、
前記制御部は前記汚染度及びシワの何れかが限界値以上であると、前記衣類を洗濯することを前記表示部に表示することを特徴とする、請求項１に記載の衣類装置。
【請求項９】
前記制御部の信号を外部に伝達する通信モジュールを更に備え、
前記制御部は前記汚染度又はシワの程度を前記通信モジュールにより衣類の洗濯を行う洗濯機又はサーバーに送信することを特徴とする、請求項８に記載の衣類装置。
【請求項１０】
衣類装置であって、
前方に開口部を備えるキャビネット；
前記キャビネットに備えられて衣類を収容する空間を提供する内箱；
前記キャビネットに備えられて前記空間に熱風又はスチームを供給する供給部；
前記キャビネット又は前記内箱に結合して前記開口部を開閉するドア；
前記内箱と前記ドアの何れかに備えられて前記空間又は前記衣類の状態を感知するセンサ部；及び
前記センサ部と前記供給部のうちの１つ以上を制御して前記衣類の汚染度又はシワの程度が基準値以上である対象領域を感知する制御部；を備えることを特徴とする、衣類装置。
【請求項１１】
前記センサ部は前記内箱と前記ドアのうちの１つ以上に備えられて前記空間又は前記衣類を撮影する内部カメラを備え、
前記制御部は前記撮影された映像で前記対象領域を感知するか、又は前記衣類にシワが発生すると予想される部分を演算するように備えられることを特徴とする、請求項１０に記載の衣類装置。
【請求項１２】
前記ガスセンサは、
前記内箱の一面に備えられる第１ガスセンサと、
前記一面に対向又は隣接する他面に備えられる第２ガスセンサを備え、
前記制御部は、
前記第１ガスセンサと前記第２ガスセンサの測定値を比較して前記衣類の汚染度が基準値以上である対象領域を感知することを特徴とする、請求項１０に記載の衣類装置。
【請求項１３】
前記制御部は、
前記供給部を制御して前記対象領域に熱風又はスチームを供給することを特徴とする、請求項１０又は請求項１１に記載の衣類装置。
【請求項１４】
前記供給部は、
前記内箱に連通して空気が吸入される吸入ダクトと、
前記吸入ダクトに連通して前記制御部の信号によって前記熱風又はスチームを生成する加熱部が設けられるメインダクトと、
前記メインダクトに連通して前記内箱に前記熱風又はスチームを案内する排気ダクトと、
前記制御部の信号によって前記排気ダクトの開閉程度を調節する流路転換部とを更に備えることを特徴とする、請求項１３に記載の衣類装置。
【請求項１５】
前記排気ダクトは、
前記内箱の一面に前記熱風又はスチームを案内する第１排気ダクトと、前記一面に隣接するか又は前記一面に対向する他面に前記熱風又はスチームを案内する第２排気ダクトを備え、
前記流路転換部は、
前記制御部の信号によって前記第１排気ダクトと前記第２排気ダクトの何れか一つを開放するか、或いは前記第１排気ダクトと前記第２排気ダクトを全て開放することを特徴とする、請求項１４に記載の衣類装置。
【請求項１６】
前記内箱は、
高さに沿って一定距離離隔して前記熱風又は前記スチームが供給される複数の集中部を備え、
前記供給部は、
前記内箱の高さに沿って延びて前記熱風又はスチームが移動する基本ダクトと、
前記基本ダクトから前記複数の集中部にそれぞれ延びて前記熱風又はスチームを伝達する複数の分枝ダクトと、
前記複数の分枝ダクトの開閉を調節する流路転換部とを備え、
前記制御部は、前記流路転換部を制御して前記対象領域に前記熱風又はスチームを供給することを特徴とする、請求項１３に記載の衣類装置。
【請求項１７】
オンラインシステムであって、
衣類を再生する処理行程を行い、前記衣類の衣類情報、シワの程度又は汚染度を発信できる衣類通信モジュールを備える衣類装置；
前記衣類通信モジュールが発信した前記衣類情報、シワの程度又は汚染度を受信して、前記衣類の異物質を除去する洗濯行程(ｄｒｙｉｎｇ ｃｙｃｌｅ)を行う任意の洗濯コース又は洗濯オプションのうち、前記衣類情報、シワの程度又は汚染度に対応する洗濯コース又は洗濯オプションを決定するサーバー；及び
前記サーバーで決定された洗濯コース又は洗濯オプションを実行する洗濯機；を備え、
前記洗濯機は、
前記サーバーで決定された洗濯コース又は洗濯オプションを受信する洗濯通信モジュールと、前記受信された洗濯コース又は洗濯オプションを表示する洗濯表示部とを備えることを特徴とする、オンラインシステム。
【請求項１８】
前記洗濯通信モジュールは、前記洗濯機の作動が停止した状態でも前記サーバーと通信可能に備えられ、
前記サーバーは前記洗濯コース又は前記洗濯オプションが決定されると、前記洗濯通信モジュールに前記洗濯コースと前記洗濯オプションを発信するように備えられることを特徴とする、請求項１７に記載のオンラインシステム。
【請求項１９】
前記洗濯機は、前記サーバーで決定された洗濯コース又は洗濯オプションを表示することを指示する洗濯入力部を更に備え、
前記洗濯表示部は、
前記洗濯入力部が入力されると、前記洗濯通信モジュールに受信された前記洗濯コース又は洗濯オプションを表示することを特徴とする、請求項１８に記載のオンラインシステム。
【請求項２０】
前記洗濯通信モジュールは、
前記洗濯機に電源が供給されたことを感知すると、
前記洗濯コース又は前記洗濯オプションを前記サーバーに要請して受信するように備えられることを特徴とする、請求項１７に記載のオンラインシステム。
【請求項２１】
前記洗濯機は、前記サーバーで決定された洗濯コース又は洗濯オプションを前記洗濯表示部に表示することを指示する洗濯入力部を更に備え、
前記洗濯通信モジュールは、
前記洗濯入力部が入力されると、前記洗濯コースと前記洗濯オプションを前記サーバーに要請して受信するように備えられることを特徴とする、請求項１７に記載のオンラインシステム。
【請求項２２】
オンラインシステムであって、
衣類を再生する処理行程を行い、前記衣類の衣類情報、シワの程度又は汚染度を感知できる衣類装置；及び
衣類の異物質を除去する洗濯行程(ｗａｓｈｉｎｇ ｃｙｃｌｅ)を行う任意の洗濯コース又は洗濯オプションを実行する洗濯機；を備え、
前記衣類装置は、
前記衣類情報、シワの程度又は汚染度を前記洗濯機に発信する衣類通信モジュールを備え、
前記洗濯機は、
前記衣類通信モジュールで前記衣類情報、シワの程度又は汚染度を受信する洗濯通信モジュールと、前記任意の洗濯コース又は洗濯オプションのうち、前記衣類通信モジュールが提供した前記衣類情報、シワの程度又は汚染度に対応する洗濯コース又は洗濯オプションを決定する洗濯制御部と、前記洗濯制御部で決定された洗濯コース又は洗濯オプションを外部に表示する洗濯表示部とを備えることを特徴とする、オンラインシステム。
【請求項２３】
前記洗濯通信モジュールは、
前記衣類通信モジュールで前記衣類情報、シワの程度又は汚染度を受信すると、
前記任意の洗濯コース又は洗濯オプションのうち、前記衣類通信モジュールが提供した衣類情報、シワの程度又は汚染度に対応する洗濯コース又は洗濯オプションを決定して前記洗濯表示部又は前記洗濯制御部に提供する通信制御部を更に備えることを特徴とする、請求項２２に記載のオンラインシステム。
【発明の詳細な説明】
【技術分野】
【０００１】
本発明は衣類の汚染度及びシワを感知又は演算できる衣類処理装置及びそれを含むオンラインシステムに関する。
【背景技術】
【０００２】
衣類処理装置とは、衣類を再生(ｒｅｆｒｅｓｈ)する衣類装置と、衣類を洗濯する洗濯機及び衣類を乾燥する乾燥機を含む概念である。衣類装置の代表的な例としては、商品名“トロムスタイラー（ＴＲＯＭＭ Ｓｔｙｌｅｒ）”がある。
【０００３】
最近、衣類を洗濯する洗濯機、衣類を再生する衣類装置などの複数の家電製品を室内に配置するトレンドが高まっている。ユーザは衣類の状態を把握して、衣類に再生が必要であると判断される場合は、衣類装置を使用し、衣類に洗濯まで必要であると判断される場合には、洗濯機を使用する。
【０００４】
一般的にユーザはこのような衣類処理装置を使用するとき、衣類の材質又は汚染度を直接判断して、衣類処理装置が提供するコース又はオプションのうち、適するコース又はオプションを選択する。例えば、衣類の材質が温度又は摩擦力に脆弱な材質である場合は、ユーザは衣類処理装置が提供するコースとオプションのうち、相対的に低温及び駆動力の弱いコースとオプションを選択する。
【０００５】
しかし、ユーザが衣類材質の特性を正確に認知していないか、又は衣類処理装置が提供するコースとオプションの特徴を把握していない場合、衣類処理装置が衣類材質に適するコース又はオプションを提供できるにもかかわらず、ユーザがそれを活用できない限界がある。
【０００６】
また、ユーザが衣類の汚染度を正確に認知していないか、又は汚染度に対応するコース又はオプションを認知していない場合にも、衣類処理装置が衣類の汚染を解消しつつ衣類の損傷を防止する最適のコース又はオプションを提供できるにもかかわらず、ユーザがそれを活用できない限界がある。
【０００７】
これを解決するために、韓国公開特許公報第１０−２０１８−００１５９２７号を参照すると、衣類の材質を認識してそれに適するコースを決定して推薦する洗濯機が登場する。しかし、洗濯機は衣類の材質を直接感知することではなく、ユーザが衣類の材質情報を提供する識別体を直接洗濯機に投入しなければならないという条件がある。即ち、ユーザが識別体を投入しないか、又はユーザが実際の衣類材質を誤解して間違った識別体を投入した場合には、相変わらず適するコース又はオプションが推薦されない限界がある。また、この洗濯機は、衣類の汚染度又はシワに適するコース又はオプションを推薦できないという限界がある。
【０００８】
これを補完するために、韓国公開特許公報第１０−２０１６−００３９８７２号を参照すると、光学センサにより衣類の繊維種類を把握し、濁度センサにより汚染度を把握する洗濯機が登場する。この洗濯機は衣類が投入されると、衣類の種類を把握してそれに対応するコースとオプションを直接決定して推薦し、すすぎ水から汚染度を直接把握して洗濯又はすすぎ回数を増減することができる。これにより、ユーザが衣類の材質や汚染度を正確に認知していないか、又はそれに対応するコース又はオプションをよく知らない場合にも、ユーザは衣類処理装置が推薦する最適のコース又はオプションを決定して選択できるという長所がある。
【０００９】
しかし、この洗濯機では光学センサにより衣類の材質以外のさらなる情報を得られないという限界がある。例えば、光学センサでは衣類の汚染度又はシワの程度を把握できないだけではなく、衣類において汚染度又はシワの程度がひどい一部領域を把握できないという限界がある。
【００１０】
また、この洗濯機は、衣類がすすぎ水などに浸らない場合は、衣類の汚染度を全く把握できないという問題がある。即ち、この洗濯機では衣類の汚染度を把握するためには、少なくとも給水行程と排水行程を必ず伴わなければならないので煩わしい。
【００１１】
さらに、この洗濯機は、衣類の一部のみに汚染度又はシワがひどい場合にも衣類の全体を集中洗濯するので、衣類の寿命が短くなる問題がある。
【００１２】
勿論、衣類の汚染度は外部環境にも左右される。例えば、雨が降るか、温度又は湿度が高い場合には衣類の汚染度がひどくなる。韓国特許公開公報第１０−２０１６−００８８１１２号を参照すると、外部端末と洗濯機が通信連結されて、外部端末から洗濯機に天気、湿度、埃の濃度などが提供され、それらに適する洗濯コースを自動的に決定する洗濯機が登場する。
【００１３】
しかし、この洗濯機も外部環境に適するコース又はオプションを推論するだけであり、衣類の汚染度又は材質を直接感知できないので、これに対応するコース又はオプションを提供できないという限界がある。
【００１４】
一方、衣類装置では内部空間に熱風又はスチームを均等に供給して衣類のシワ、悪臭、埃、異物質などを除去する。しかし、内部空間に複数の衣類が収容された場合、他の衣類よりもシワ又は汚染度がひどい衣類があり得る。従来の衣類装置では、内部空間に汚染度又はシワの程度が異なる複数の衣類が収容されていても、均一な熱風又はスチームが供給されて特定の衣類に十分な熱風又はスチームが供給されない問題がある。また特定の衣類の汚染やシワを解消するために、他の衣類にも過度な熱風又はスチームが供給される問題がある。
【００１５】
一方、最近、生活水準が向上し、ユーザの便宜性が極大化することにより、複数の衣類処理装置を備える家庭が多くなっている。例えば、韓国特許公開公報第１０−２０１９−００１６３６３号を参照すると、家庭で洗濯機と乾燥機を全て備えることができる。よって、ユーザは衣類の異物質を除去するためには洗濯機を使用し、衣類の水分を除去するためには乾燥機を使用している。さらにこの洗濯機は天気情報に基づいて自動的に洗濯コース又はオプションを推薦し、乾燥機も自動的に乾燥コースとオプションを推薦する。したがって、複数の衣類処理装置を備えるユーザは、それぞれの衣類処理装置のコース又はオプションをよく知らなくても、これらを無理なく活用することができる。しかし、洗濯機と乾燥機のようにそれぞれの役割が完全に区分される場合にのみ、かかる長所が得られるという限界がある。
【００１６】
具体的には、衣類装置と洗濯機の複数の衣類処理装置を備える家庭の場合、ユーザは着用した衣類をどの家電製品で処理すればよいかを正確に判断できないことがある。衣類装置と洗濯機は、衣類の異物質を除去する方法と程度が異なるだけで、両方とも衣類の異物質を除去できるためである。
【００１７】
従って、再生行程により十分に処理できる衣類にもかかわらず、ユーザが洗濯機で洗濯して衣類の耐久性及び寿命を減少する余地がある。又は、洗濯行程まで必要な衣類にもかかわらず、ユーザが衣類装置で再生して衣類の汚染状態を解消できないこともあり得る。
【００１８】
また、ユーザが衣類装置又は洗濯機に衣類を間違って投入した場合、それをユーザに通知するシステムがないので、ユーザのミスがそのまま放置される問題がある。
【００１９】
また、ユーザが再生を行う衣類装置に衣類を間違って投入したことを認知した場合にも、洗濯を行う洗濯機に衣類を投入した後、洗濯コースやオプションを再度入力しなければならないという不便もある。
【００２０】
結論として、従来には衣類装置及び洗濯機などの複数の家電製品が互いに通信するか或いは特定のサーバーにより管理されるにもかかわらず、互いに連係して作動されないという限界があった。
【発明の概要】
【発明が解決しようとする課題】
【００２１】
本発明は、衣類を洗濯或いは再生する家電製品が衣類の状態や汚染度又はシワの程度を感知できる衣類処理装置及びそれを含むオンラインシステムを提供することを解決課題とする。
【００２２】
本発明は、感知された汚染度又はシワの程度によってそれに適するコース又はオプションを決定して推薦できる衣類処理装置及びそれを含むオンラインシステムを提供することを解決課題とする。
【００２３】
本発明は、特定の衣類にシワがひどいか又は汚染度が高い領域が存在する場合或いは衣類処理装置内に汚染度又はシワがひどい領域が存在する場合に、それを感知できる衣類処理装置及びそれを含むオンラインシステムを提供することを解決課題とする。
【００２４】
本発明は、上記領域を集中的に洗濯或いは再生できる衣類処理装置及びそれを含むオンラインシステムを提供することを解決課題とする。
【００２５】
本発明は、衣類の状態や汚染度を把握してより適する家電製品で作動することを勧める衣類処理装置及びそれを含むオンラインシステムを提供することを解決課題とする。
【００２６】
本発明は、いずれか一方の家電製品が他方の家電製品で受信した情報により、自動的にコースやオプションを決定するオンラインシステムを提供することを解決課題とする。
【００２７】
本発明は、衣類装置で感知した衣類の汚染度又はシワの程度をサーバー又は衣類装置で直接受信して適する洗濯コース又はオプションを決定して推薦できる洗濯機を含むオンラインシステムを提供することを解決課題とする。
【課題を解決するための手段】
【００２８】
本発明によるオンラインシステムは、衣類を再生(Ｒｅｆｒｅｓｈ)する衣類装置及び衣類を洗濯する洗濯機を含む（備える：構成する）複数の家電製品と、それを遠隔で制御できるサーバーを含む。
【００２９】
衣類装置は衣類に熱風又はスチームを供給する任意の再生コース又は再生オプションを提供し、洗濯機は衣類に水と洗剤により異物質を除去する洗濯コース又は洗濯オプションを提供する。
【００３０】
衣類装置は衣類が水又は洗剤に接することなく衣類を再生できるので、衣類の損傷を最大限に防止できるという長所がある。衣類装置は衣類に熱風又はスチームのいずれかを供給して衣類から悪臭又は水分を除去したり、衣類についた埃などの異物質を除去したりすることができ、衣類のシワまで除去することができる。
【００３１】
かかる衣類装置は洗濯機又は乾燥機とは異なり、水と洗剤を使用しないので、ユーザにはその作動方法が慣れていない。したがって、衣類装置は、衣類の状態を感知できるセンサ部と、センサ部の情報を受信して衣類の状態を把握できる制御部とを含む。
【００３２】
センサ部では衣類装置から分離された異物質を電気的、化学的センサで感知して衣類の汚染度を間接的に把握することができ、衣類を直接撮影することにより衣類の汚染度又はシワ状態を直観的に把握することもできる。
【００３３】
衣類装置の制御部では衣類の汚染度又はシワを自動的に把握してそれに対応する再生コース又は再生オプションを決定する。衣類の汚染度又はシワに対応する再生コース又は再生オプションは、テーブル形態で衣類装置又はサーバーに貯蔵されている。テーブルは衣類装置の通信モジュールにより受信されるか、或いはテーブルの結果値が通信モジュールにより受信される。
【００３４】
一方、衣類装置は、汚染度又はシワがひどい衣類、又は衣類において汚染度又はシワがひどい部分に集中的に熱風又はスチームを供給する供給部を含む。
【００３５】
供給部は衣類装置の衣類が収容される収容空間を１／ｎに区画して特定の空間にスチーム又は熱風を供給することができる。
【００３６】
さらに供給部は衣類装置の収容空間に特定の部分ごとにスチーム又は熱風を供給する複数の案内ダクトを含む。
【００３７】
また衣類装置は衣類を収容する空間の長手方向及び幅方向に沿って熱風又はスチームが供給される複数の案内孔が備えられ、案内ダクトは案内孔と供給部を連通する。これにより、案内ダクト又は複数の案内孔には開度が決定される複数のバルブが設けられる。制御部は複数のバルブを制御して特定の部位に熱風又はスチームを集中的に供給することができる。
【００３８】
供給部の出力は同一であるものの、特定の部分に熱風又はスチームが供給されると、熱風又はスチームの圧力と流量が大幅増加する。したがって、汚染度又はシワがひどい部分を集中的に再生(ｒｅｆｒｅｓｈ)できる。
【００３９】
一方、衣類装置は水と洗剤を使用しない限界のため、衣類の汚染度又はシワがひどい場合には、衣類の再生効果を達成できない可能性もある。かかる場合に、ユーザが衣類装置を不要に作動させると、エネルギー及び時間の浪費を招く。したがって、本発明によるオンラインシステムは、衣類の汚染度又はシワが基準値以上である場合には、衣類を洗濯機で洗濯することを勧誘又は推薦することができる。
【００４０】
基準値は、衣類装置では再生不可であるが、洗濯機では洗濯により十分に解消できる範囲である。基準値はサーバーなどにテーブル形態で貯蔵されるか、或いは衣類装置の貯蔵部に予め貯蔵されている。
【００４１】
例えば、基準値は衣類の汚染度が水などにより除去できる程度であるか否かによって決定される。
【００４２】
基準値が以上であると感知されると、衣類装置は洗濯機又はサーバーに衣類に洗濯が必要であるという情報を伝達する。一例として、衣類装置は衣類の汚染度又はシワに関する情報をサーバー又は洗濯機に発信し、サーバー又は洗濯機は衣類の汚染度又はシワに対応する洗濯コース又は洗濯オプションを決定することができる。
【００４３】
洗濯コース又は洗濯オプションは、洗濯機が電源がオンになると、洗濯機の表示部に点灯されて、ユーザがコース又はオプションを選択する必要がなく、そのまま実行ボタンを入力すればよい。
【００４４】
勿論、洗濯機の入力部が活性化されて、ユーザが勧められたコース又はオプションを拒絶して、所望のコース又はオプションを選択することもできる。
【発明の効果】
【００４５】
本発明には衣類を洗濯或いは再生する家電製品が衣類の状態や汚染度を感知できる効果がある。
【００４６】
本発明には衣類が水に接しなくても衣類の状態又は汚染度及びシワの程度を感知できる効果がある。
【００４７】
本発明には衣類の状態又は汚染度、シワの程度によって自動的にコースやオプションをユーザに推薦できる効果がある。
【００４８】
本発明には特定の衣類にシワがひどいか又は汚染度が高い場合、それを集中的に洗濯又は再生できる効果がある。
【００４９】
本発明には衣類の状態や汚染度を把握してより適する家電製品で作動することを勧める家電製品を提供できる効果がある。
【００５０】
本発明にはいずれか一方の家電製品が他方の家電製品で受信した情報に基づいて自動的にコースやオプションを決定できる効果がある。
【図面の簡単な説明】
【００５１】
【図１】本発明によるオンラインシステムを示す図である。
【図２】本発明によるオンラインシステムの構造を示す図である。
【図３】本発明による衣類装置の構造を示す図である。
【図４】本発明による衣類装置の制御方法を示す図である。
【図５】本発明による衣類装置が汚染度を測定する実施例を示す図である。
【図６】本発明による衣類装置が汚染度又はシワを測定する実施例を示す図である。
【図７】本発明による衣類装置が衣類のシワ発生を予測できる原理を示す図である。
【図８】本発明による衣類装置の供給部の構造を示す図である。
【図９】本発明による衣類装置が集中的に熱風又はスチームを特定の部分に供給する一実施例を示す図である。
【図１０】本発明による衣類装置が集中的に熱風又はスチームを特定の部分に供給する他の実施例を示す図である。
【図１１】本発明による衣類装置が集中的に熱風又はスチームを特定の部分に供給する他の実施例を示す図である。
【図１２】本発明による衣類装置と洗濯機が連係される制御方法を示す図である。
【図１３】本発明による衣類装置が洗濯機及びサーバーに連係される制御方法を示す図である。
【発明を実施するための形態】
【００５２】
以下、添付図面を参照しながら、この明細書に記載の実施例について詳しく説明する。この明細書では、互いに異なる実施例であっても同一・類似する構成については同一・類似する参照番号を付与して重複する説明は省略する。この明細書で使用される単数の表現は文脈上明白に違う意味でない限り、複数の表現を含む。また、本発明の実施例を説明するにあたり、関連する公知の技術に関する具体的な説明が本発明の要旨をあいまいにし得ると判断された場合は、その詳細な説明を省略する。また、添付図面はこの明細書に開示された実施例を簡単に理解できるようにするためのものであり、添付図面によってこの明細書に開示された技術的思想が制限されることはない。
【００５３】
図１は複数の家電製品を含む本発明の一実施例によるオンラインシステムを示す図である。
【００５４】
家庭などの室内には特定のユーザが制御できる複数の家電製品が配置される。また、室内には特定のユーザが着用できる複数の衣類(Ａ)が配置又は保管される。
【００５５】
複数の家電製品は、複数の衣類(Ａ)のうちのいずれかを洗剤などで洗濯及び乾燥する洗濯装置３００と、複数の衣類(Ａ)のうちのいずれかに熱風やスチームを供給して再生する衣類装置１００とを含む。
【００５６】
複数の衣類(Ａ)は、コートやジャンパーのような１つ以上の外套(Ａ１)、ワイシャツ、ブラウス又はＴシャツのような１つ以上の上衣(Ａ２)、ズボンやスカートのような１つ以上の下衣(Ａ３)、及びかばん、サングラス、貴金属、スカーフのようなアクセサリー(Ａ４)のうちのいずれかを含む。ワンピースのように上衣又は下衣に分離されないものは外套と統称する。
【００５７】
衣類装置１００は、衣類(Ａ)のうちのいずれかを再生する任意のコースやオプションを行う命令が入力される衣類入力部１５０と、コースやオプションの状態を表示する衣類表示部１４０とを含む。衣類表示部１４０は衣類主制御部１８０から伝達された信号を音、文字などで外部に表示する。例えば、液晶又はスピーカーを含む。
【００５８】
また洗濯機３００は、衣類(Ａ)のうちのいずれかを洗濯する任意のコースやオプションを行う命令が入力される洗濯入力部３５０と、コースやオプションの状態を表示する洗濯表示部３４０とを含む。これにより、ユーザは衣類装置１００又は洗濯機３００に意図する衣類(Ａ)を投入した後、直接命令を入力して衣類装置１００又は洗濯機３００を個々に制御及び作動することができる。
【００５９】
一方、洗濯装置３００及び衣類装置１００を遠隔で制御するか、又は洗濯装置３００及び衣類装置１００を互いに連係して作動させることを望むユーザもいる。また、洗濯装置３００及び衣類装置１００の様々な機能を積極熟知又は活用することを望むユーザもいる。
【００６０】
このために、本発明の一実施例において、オンラインシステムは、ユーザが洗濯装置３００及び衣類装置１００を遠隔で制御するか又はペアリング(ｐａｉｒｉｎｇ)を行えるサーバー６００を含む。
【００６１】
サーバー６００は洗濯装置３００及び衣類装置１００に必要な地域情報や天気情報を含む外部情報も提供し、各種プログラムの伝達及び更新などを行うこともできる。サーバー６００は衣類装置１００及び洗濯装置３００を製作して販売する販売者により提供されることができる。これにより、衣類装置１００及び洗濯装置３００はサーバー６００に通信連結されてサーバー６００から送信された命令を行うか、又はサーバー６００から提供された情報やアルゴリズムを使用することができる。
【００６２】
なお、衣類装置１００や洗濯装置３００はサーバー６００と直接通信連結されることもできるが、ＡＰ５００に接続してサーバー６００と通信することもできる。
【００６３】
したがって、サーバー６００はＡＰ５００により衣類装置１００及び洗濯装置３００の固有のデバイスＩＤを登録したり、ＡＰ５００のポート情報やＩＰ情報を衣類装置１００及び洗濯装置３００に連係して貯蔵したりすることができる。
【００６４】
一方、衣類装置１００や洗濯装置３００を使用するユーザには、衣類装置１００及び洗濯装置３００を遠隔で制御するサービス要請を受け付けるか、又はサーバー６００に特定の機能を求めることを望む場合もある。
【００６５】
したがって、本発明の一実施例において、オンラインシステムは、ユーザがサーバー６００に直ちに接続して衣類装置１００と洗濯装置３００を制御するか又はサーバー６００で提供する各種のサービスを要請する外部端末４００を含む。外部端末４００は携帯端末、スマートフォン、ノートパソコン、ＰＣなどのように家電製品やサーバーとは別途に設けられる機器を意味し、外部と通信可能に通信モジュールを有する機器を含む。
【００６６】
外部端末４００にはサーバー６００に接続できる応用プログラム(Ａｐｐｌｉｃａｔｉｏｎ)が設けられる。よって、外部端末４００はサーバー６００と直接通信し、サーバー６００は衣類装置１００及び洗濯装置３００と通信することができる。
【００６７】
これにより、ユーザは外部端末４００により遠隔サービスを要請し、サービスの実行及び完了などの情報も容易に把握することができる。また、衣類装置１００及び洗濯装置３００は外部端末４００と直接通信連結されなくても、外部端末４００により制御されることができる。
【００６８】
一方、衣類装置１００は洗濯装置３００よりも通常長く形成される。即ち、一般的に衣類装置１００は広げられた衣類をそのまま収容するために、高さが幅よりも長く形成される。例えば、衣類装置１００はユーザの背よりも高く形成される。また、衣類装置１００の特性上、衣類装置１００は家庭内で衣類(Ａ)を保管するところに配置される。したがって、衣類装置１００が鏡などの役割を果たせば、ユーザは衣類(Ａ)を着るとき、鏡があるところまで移動する必要がない。
【００６９】
なお、家電製品のうち、衣類装置１００及び洗濯機３００はいずれも衣類を処理する装置である。よって、ユーザは保有した衣類を衣類装置１００で再生するか、或いは洗濯機３００で洗濯するかを正確に分からない場合もある。
【００７０】
したがって、本発明の一実施例によるオンラインシステムにおいては、衣類装置１００が衣類のシワ又は汚染度を把握して、汚染度がひどい場合には、洗濯機３００で洗濯することを表示するように備えられる。
【００７１】
さらに衣類装置１００は洗濯機３００に衣類の汚染度又は材質をサーバー６００やＡＰ５００などにより、或いは直接伝達して、洗濯機３００が適するコースやオプションを決定するようにすることもできる。
【００７２】
なお、ユーザは衣類装置１００が提供するコース又はオプションを正確に認知又は熟知できない場合もある。よって、本発明の一実施例によるオンラインシステムにおいては、衣類装置１００が衣類のシワ又は汚染度を分析して適するコース又はオプションを自動的に決定するようにすることができる。
【００７３】
図２は上記機能を行える本発明によるオンラインシステムの構造の一実施例を示す図である。
【００７４】
本発明の一実施例によるオンラインシステムにおいて、外部端末４００は、外部端末を作動させる命令を入力する端末入力部４３０と、外部端末４００の状態及びサーバー６００などから受信した情報を表示する端末表示部４４０と、遠隔地に備えられたサーバー６００などと通信するように備えられる遠距離通信モジュール４５１と、近隣に備えられた衣類装置１００や洗濯装置３００などの家電製品と通信するように備えられる近距離通信モジュール４５２と、外部端末の構成を制御する端末制御部４２０と、端末入力部や通信モジュールから受信された情報を貯蔵する端末貯蔵部４１０とを含む。
【００７５】
近距離通信モジュールはＷＩＦＩ、Ｂｌｕｅｔｏｏｔｈ、ＺｉｇＢｅｅなどの無線周波数(Ｒａｄｉｏ Ｆｒｅｑｕｅｎｃｙ)などの一定距離内の通信装置と通信するように備えられる装置であり、遠距離通信モジュールは３Ｇ、ＬＴＥ、４Ｇなどの基地局又は通信網を用いて遠隔地の通信装置と通信するように備えられる装置である。
【００７６】
本発明の一実施例において、サーバー６００は外部端末４００と通信するか、衣類装置１００又は洗濯機３００などの家電製品と通信するか、又はＡＰ３００と通信するように備えられる通信装置６１０と、各種の制御信号を生成又は分析する演算処理装置６２０と、外部端末、家電製品、演算処理装置などで生成されるか或いは受信された情報を貯蔵する貯蔵装置６３０とを含む。
【００７７】
本発明の一実施例において、衣類装置１００は、衣類を再生する任意のコース又はオプションが貯蔵されている衣類主貯蔵部１７０と、任意のコース及びオプションのいずれかを行う衣類主制御部１８０と、サーバー６００又は外部端末４００やＡＰ５００、洗濯機３００などの家電製品と通信するように備えられる衣類通信モジュール２６０とを含む。
【００７８】
衣類主制御部１８０は、衣類装置１００の作動が完了又は停止されると、電力供給が遮断されて待機電力消耗を防止するように備えられる。しかし、衣類通信モジュール２６０は常に電源が供給される状態が維持されて、サーバーなどとの通信状態が維持されるように備えられる。
【００７９】
衣類装置１００はさらに衣類の汚染度又はシワを除去する供給部７００を含む。供給部７００は衣類主制御部１８０が行うコース又はオプションによって熱風又はスチームを供給する。
【００８０】
衣類装置１００は、任意のコース及びオプションのいずれかを行う命令を入力するための衣類入力部１５０と、衣類装置の状態を表示するか又は衣類通信モジュール２６０から受信された情報を表示する衣類表示部１４０とを含む。
【００８１】
例えば、衣類入力部１５０と衣類表示部１４０は、ユーザの接近を容易にするために衣類装置１００の外観に設けられる。衣類入力部１５０は洗濯コース／オプションや電源を入力する衣類ボタン１５２と、音声命令などの音信号を受信する衣類マイク１５１と、映像信号を受信する衣類カメラ１５３とを含む。また、衣類表示部１４０は、情報をイメージで表現する洗濯画面又は衣類画面１４２と、音信号を表示する衣類スピーカー１４１とを含む。なお、衣類表示部１４０はタッチパネルからなって衣類入力部の役割も果たすように備えられる。
【００８２】
衣類通信モジュール２６０は、サーバー６００、ＡＰ３００、外部端末４００、洗濯機３００などの家電製品と通信する衣類通信モデム２６１と、衣類通信モデム２６１を制御する衣類通信制御部２６２と、衣類通信モデム２６１で受信された情報や衣類通信制御部２６２が生成した情報を貯蔵する衣類通信貯蔵部２６３とを含む。衣類通信モジュール２６０は、外部端末４００のように近距離通信モジュールと遠距離通信モジュールを行えるように備えられる。衣類通信モジュール２６０は、サーバー６００で提供された推薦アルゴリズムを受信して衣類通信貯蔵部２６３に貯蔵するか、或いは推薦アルゴリズムを衣類主貯蔵部１７０に伝達することができる。
【００８３】
推薦アルゴリズムは、衣類主制御部１８０が駆動部１９０を実行させるコース及びオプションのうち、衣類の材質、汚染度、シワの程度に対応するコース又はオプションを決定するプログラムであるか、或いは推薦されたコース又はオプションそのままである。
【００８４】
なお、衣類通信モジュール２６０は、衣類の種類によってシワが予想される部分を演算するシワ予測アルゴリズムを常にサーバー６００から受信して衣類通信貯蔵部２６３に貯蔵するように備えられ、シワ予測アルゴリズムを衣類主貯蔵部１７０に伝達することができる。
【００８５】
シワ予測アルゴリズムは、衣類主制御部１８０が駆動部１９０を制御して、シワ発生が予測されるか或いはよくシワが発生する部分に集中的に熱風又はスチームを供給するために活用される。
【００８６】
シワ予測アルゴリズムは、外套(Ａ１)、上衣(Ａ２)及び下衣(Ａ３)の種類によってシワが発生する部分を予測できる。例えば、シワが発生する部分は、人体の関節に対応する部分や人が動く動作によってシワ発生が予想される部分を統計上把握して整えることができる。
【００８７】
衣類装置１００は衣類(Ａ)の汚染度又はシワを認識又は感知するセンサ部１６０を含む。センサ部１６０は衣類が収容される空間の状態を認識することができる。
【００８８】
例えば、センサ部１６０は衣類装置１００内の気体状態を感知するガスセンサ１６１や衣類が収容される空間や衣類を撮影する内部カメラ１６２を含む。
【００８９】
ガスセンサ１６１は気体状態の変化を感知して衣類の汚染度を感知する。ガスセンサ１６１は気体の密度及び成分の変化を感知することにより衣類の汚染度を感知する。
【００９０】
また内部カメラ１６２は衣類を直接撮影し、衣類主制御部１８０はこの映像により衣類の汚染度又はシワの程度を演算することができる。
【００９１】
衣類主制御部１８０はセンサ部１６０で感知した収容空間の状態から汚染度又はシワの程度を演算して任意のコース又はオプションのうち、適するコース又はオプションを決定する。
【００９２】
また衣類主制御部１８０は汚染度又はシワの程度が限界値以上である場合には、洗濯機３００にこの汚染度又はシワに関する情報を衣類通信モジュール２６０により伝達する。限界値は衣類装置１００が提供する
【００９３】
衣類通信モジュール２６０は汚染度又はシワに関する情報をサーバー６００又は洗濯機３００に伝達する。
【００９４】
また衣類主制御部１８０は衣類を洗濯機３００で洗濯することを勧める内容を衣類表示部１４０に表示することができる。
【００９５】
本発明の一実施例において、洗濯機３００は、衣類の異物質を除去する任意のコース又はオプションが貯蔵されている洗濯主貯蔵部３８０と、任意のコース及びオプションのいずれかを行う洗濯主制御部３７０と、外部端末４００やＡＰ３００、衣類通信モジュール２６０と通信する洗濯通信モジュール３６０とを含む。
【００９６】
洗濯主制御部３７０は洗濯機３００の作動が完了又は停止されると、電力供給が遮断されて待機電力消耗を防止するが、洗濯通信モジュール３６０は常に電源が供給される状態が維持されて、通信状態が維持される。
【００９７】
洗濯機３００は、任意のコース又はオプションを行う命令が入力される洗濯入力部３５０と、洗濯機３００の状態を表示する洗濯表示部３４０とを含む。洗濯入力部３５０と洗濯表示部３４０は衣類装置１００と同様に備えられる。
【００９８】
洗濯通信モジュール３６０は、サーバー６００、ＡＰ５００、外部端末４００及び衣類装置１００のいずれかと通信する洗濯通信モデム３６１と、洗濯通信モデム３６１を制御する洗濯通信制御部３６２と、洗濯通信モデム３６２で受信された情報を貯蔵する洗濯通信貯蔵部３６３とを含む。洗濯通信モジュール３６０は外部端末４００のように近距離通信モジュールと遠距離通信モジュールを行うように備えられる。
【００９９】
結果として、衣類通信モジュール２６０と洗濯通信モジュール３６０により衣類装置１００と洗濯機３００は互いに通信するように備えられるか、又は外部端末４００及びサーバー６００と互いに通信するように備えられる。これにより、洗濯機３００は洗濯通信モジュール３６０により衣類の汚染度又はシワに関する情報を予め受信して貯蔵することができ、洗濯主制御部３７０は衣類の汚染度又はシワに適するコース又はオプションを決定することができる。勿論、サーバー６００が衣類状態に合うコースやオプションを予め決定して洗濯通信モジュール３６０に伝達することもできる。
【０１００】
一方、衣類主貯蔵部１７０には、ユーザの音声命令と衣類入力部１５０のボタン１５３などをマッチする発話リストが貯蔵されることができる。衣類入力部１５０はマイク１５３により音声命令が受信されると、音声命令と発話リストを比較して、それにマッチする命令を衣類主制御部１８０又は通信モジュール２６０に伝達する。
【０１０１】
衣類主制御部１８０がこの命令を直接受信して処理できる場合、衣類主制御部１８０は命令によって衣類装置１００の構成を作動させる。また通信モジュール２６０に命令が伝達された場合、サーバー６００に命令を伝達してサーバー６００から衣類装置１００の構成を作動させる命令の発信を要請することができる。サーバー６００は通信モジュール２６０により、衣類装置１００が該当命令を実行するように駆動させることができる。
【０１０２】
図３は本発明の一実施例による衣類装置の細部構造を示す図である。
【０１０３】
本発明の一実施例において、衣類装置１００は、前方に開口部を備えるキャビネット１１０と、キャビネット１１０に回転可能に備えられて開口部を開閉するドア１１１と、キャビネットに備えられて衣類(Ａ)が収容される収容空間(Ｓ)を提供する内箱１２０と、内箱１２０と連通して収容空間(Ｓ)に熱風を含む空気及びスチームのいずれかを供給する供給部７００と、内箱１２０及びドア１１１のいずれかに備えられて衣類(Ａ)を収容空間内に載置又は固定する載置部１２６,１２７とを含む。
【０１０４】
キャビネット１１０は衣類装置の外観を形成し、高さが幅よりも長く形成される。これにより、図示の外套(Ａ１)だけではなく、長い下衣(Ａ３)も畳まず内箱１２０に収容することができる。よって、収容された衣類(Ａ)に不要なシワがつくことを防止することができる。
【０１０５】
キャビネット１１０は金属材質からなり、強度を維持できれば、強化プラスチックなどの樹脂材質からなってもよい。
【０１０６】
内箱１２０は衣類(Ａ)から排出された異物質又は供給部で供給された熱風やスチームによって物理的に変形されるか又は化学反応が起こらない材質からなる。例えば、ＡＢＳ、ＡＳＡのようなスチレン樹脂系列からなる。内箱１２０は一面が供給部７００と連通して、供給部７００から熱風や水分が供給されるか、又は供給部７００に空気を排出するように備えられる。内箱１２０は供給部７００と連通する複数の貫通口１２１,１２２,１２３を含む。
【０１０７】
なお、供給部７００は内箱１２０と分離されて備えられることもできる。供給部７００は相対的に密度の低い加熱された空気やスチームを内箱１２０に均一に供給するために、内箱１２０の下部に備えられることもできる。
【０１０８】
また、ドア１１１はキャビネット１００に回転可能に結合されて開口部を開閉する。ドア１１１は内箱１２０だけではなく、供給部７００の前方まで遮蔽するように備えられる。これにより、内箱１２０に供給された熱風や水分が外部に流出することを防止するだけではなく、供給部７００で発生した熱が外部に伝達されることを遮断することができる。
【０１０９】
ドア１１１は内箱１２０の前方を開閉するように備えられるので、内箱１２０の内周面とドア１１１の内面は収容空間を形成することができる。
【０１１０】
載置部は、内箱１２０内に衣類(Ａ)を載置する第１載置部１２７と、ドア１１１の内面に衣類(Ａ)を載置する第２載置部１２６とを含む。
【０１１１】
以下、第１載置部１２７に外套(Ａ１)が載置され、第２載置部１２８に下衣(Ａ３)が載置されていることを仮定して説明する。
【０１１２】
第１載置部１２７は内箱１２０の内部でハンガー形状又はバー形状に形成されて外套(Ａ１)を収容空間に載置する。第１載置部１２７は外套(Ａ１)を畳まず完全に広げた状態で内箱１２０に載置するように内胴２１０の上面に備えられるか又は内胴２１０の側面の上部に備えられる。第１載置部１２７は衣類(Ａ)が自重により広げられた状態で内箱１２０に載置されて、供給部７００から供給される空気や水分を外套(Ａ１)に均一に露出させる。
【０１１３】
第２載置部１２６は下衣(Ａ３)を内箱１２０の内面又はドア１１１に近く固定することができる。これにより、第２載置部１２６は下衣(Ａ３)の一面を内箱１２０の内面やドア１１１に密着してシワを除去することができる。
【０１１４】
一方、本発明の一実施例において、衣類装置１００はさらに衣類(Ａ)の再生効果を極大化する駆動部１９０を含む。
【０１１５】
駆動部１９０は、第１載置部１２７に連結されて第１載置部１２７を振動させる加振部１９１と、第２載置部１２６の下部に備えられて衣類を加圧するプレス部１９２とを含む。
【０１１６】
加振部１９１はモーター、プーリ及びキャップなどのモジュールからなり、第１載置部１２７を長手方向や円弧を書きながら往復移動させることができる。これにより、第１載置部１２７に載置された外套(Ａ１)の表面に熱風又はスチームが均一に供給されて、外套(Ａ１)についている異物質を除去することができる。
【０１１７】
プレス部１９２は内箱１２０とドア１１１のいずれかに回転可能に結合されて下衣(Ａ３)を加圧する。プレス部１９２は手動で下衣(Ａ３)を加圧できるが、プレス部１９２が内箱１２０又はドア１１１に回転可能に結合するヒンジがモーターなどからなって自動的に下衣(Ａ３)を加圧することもできる。ドア１１１又は内箱１２０はさらにプレス部１９２に対向する安着部１１２を含む。プレス部１９２と安着部１１２は板状に形成される。安着部１１２はプレス部１９２の加圧に対する反作用により下衣(Ａ３)に圧力を加えることができる。
【０１１８】
センサ部１６０は収容空間(Ｓ)の状態又は収容された衣類の状態を感知する。
【０１１９】
センサ部１６０は衣類装置１００内の空気汚染度を把握するガスセンサ１６１や衣類を撮影する内部カメラ１６２を含む。
【０１２０】
ガスセンサ１６１は収容空間(ｓ)に流動する異物質分子の密度又は濃度を感知するか、或いはその変化量を感知する。ガスセンサ１６１は内箱の内面に沿って離隔して複数個が設けられる。
【０１２１】
衣類主制御部１８０は複数のガスセンサ１６１で感知したセンサ値を演算して、収容空間(ｓ)のうち、どの部分にもっと汚染された衣類が配置されているかを把握する。
【０１２２】
ガスセンサは内箱の内側の一面１２３に備えられる第１ガスセンサ１６１ａと、内側の一面に隣接又は対向する他面１２４に備えられる第２ガスセンサ１６１ｂを含む。しかし、これは一実施例であるだけであり、ガスセンサ１６１は他の部分にさらに備えられてもよい。
【０１２３】
ガスセンサ１６１は半導体ガスセンサ(ｓｅｍｉｃｏｎｄｕｃｔｏｒ ｇａｓ ｓｅｎｓｏｒ)であるか、或いは空気中のガス濃度を感知できるいかなるセンサであってもよい。
【０１２４】
例えば、ガスセンサ１６１は、接触燃焼式方法、電気化学的方法(例えば、溶液導電方式、静電位電解方式、隔膜電極法)、熱伝導率方法、光学的方法(例えば、赤外線吸収法、可視部吸収法、光干渉法)、電気的方法(例えば、水素イオン化法、熱伝導法、接触燃焼法、半導体方式)、反応着色方法、溶液導電率方法、固体電解質方法及びガスクロマトグラフィー法などにより収容空間(Ｓ)の気体状態を感知することができる。
【０１２５】
図４は本発明の一実施例による衣類装置１００の上記構成を活用した制御方法の一実施例を示す図である。
【０１２６】
本発明の一実施例において、衣類装置１００は衣類が収容空間(ｓ)に投入されると、センサ部１６０により収容空間(ｓ)又は衣類の状態を感知する状態感知段階(Ｔ１)を行う。
【０１２７】
状態感知段階(Ｔ１)において、衣類主制御部１８０はガスセンサ１６１を制御して収容空間(Ｓ)の気体状態の変化を感知する。このとき、衣類主制御部１８０は供給部７００を駆動して衣類に熱風又はスチームを供給する。ガスセンサ１６１は供給部７００の駆動前後に収容空間(Ｓ)の気体状態の変化を感知し、衣類主制御部１８０はこの変化により衣類の汚染度を感知することができる。
【０１２８】
例えば、衣類の汚染度が低い場合は、ガスセンサ１６１が感知した測定値の変化が少ない。しかし、衣類の汚染度が高い場合には、衣類についた埃又は異物質が熱風又はスチームに反応したり、分離されたりすることができる。したがって、ガスセンサ１６１が感知した測定値の変化が多い。
【０１２９】
状態感知段階(Ｔ１)において、衣類主制御部１８０は内部カメラ１６２を制御して衣類を直接撮影した映像を得る。内部カメラ１６２は深さカメラからなるか、或いは複数個が離隔して備えられて、衣類主制御部１８０は衣類の３Ｄ映像を得ることができる。
【０１３０】
衣類主制御部１８０はこの映像を分析して衣類のシワ程度及び汚染度を演算する。例えば、衣類主制御部１８０は衣類の第１部分と第２部分を比較して衣類のシワの程度又は汚染度を把握する。言い換えれば、衣類の特定部分が他の部分よりもシワが多いか或いは色などが異なる場合や、その面積が大きい場合を感知して、シワの程度又は汚染度を把握することができる。
【０１３１】
また衣類主制御部１８０は衣類主貯蔵部１７０に貯蔵された通常の衣類情報と映像から得た衣類を比較することにより、衣類のシワ程度又は汚染度を把握することができる。
【０１３２】
また衣類主制御部１８０はこの映像を分析して衣類の材質を感知することもできる。
【０１３３】
衣類主制御部１８０はセンサ部１６０により感知した衣類の汚染度又はシワの程度が限界値以上であるか否かを点検する限界点検段階(Ｔ２)を行う。限界値とは、衣類装置１００が供給部７００により衣類の汚染やシワを解消できる最大値である。
【０１３４】
限界値は衣類を熱風又はスチームで処理できる最大値であり、かつ洗剤と水を利用して衣類を洗濯して衣類の異物質を除去できる最小値である。
【０１３５】
例えば、衣類主制御部１８０は衣類に脂溶性異物質がついていることを感知するか、或いは異物質が熱風又はスチームによっては設定値以下に除去されない程度である場合、限界値を超えたと感知する。
【０１３６】
衣類主制御部１８０は衣類の汚染度又はシワの程度が限界値を超えた場合は、衣類表示部１３０を制御する不可表示段階(Ｔ６)を行う。
【０１３７】
不可表示段階(Ｔ６)は、衣類表示部１３０に衣類の汚染度又はシワの程度が限界値を超えたという内容、衣類を衣類装置１００では処理できないという内容、衣類を洗濯機で洗濯した方がよいという内容のうちのいずれかが表示される段階である。
【０１３８】
これにより、ユーザが衣類を衣類装置と洗濯機のうち、どの家電製品で処理すればよいかを熟知していなくても、どの家電製品を使用すればよいかについて正確な案内を受けることができる。これにより、ユーザは衣類に適する家電製品で、適するコース又はオプションを処理することができる。
【０１３９】
ユーザは衣類表示部１４０に表示された内容を認定することができる。例えば、ユーザは衣類入力部１５０を介して衣類表示部１４０に表示された内容を承認する命令を入力するか、又は実行取り消しボタンを入力して衣類表示部１４０に衣類処理不可表示を承認することができる。
【０１４０】
この場合、衣類主制御部１８０は衣類通信モジュール１６０を制御して、把握された衣類の材質、衣類の汚染度及びシワの程度を含む衣類情報をサーバー６００又は洗濯機３００に送信する送信段階(Ｔ７)を行う。サーバー６００又は洗濯機３００は汚染度、シワの程度又は衣類の材質を受信して、それに対応するコース又はオプションを決定して推薦する。これにより、ユーザはコース又はオプションを洗濯機に再入力する煩わしさを解消することができる。これについては後術する。
【０１４１】
衣類主制御部１８０は感知した衣類の状態が限界値以下である場合は、収容空間(Ｓ)内にシワ又は汚染が集中しているか否かを判断する集中判断段階(Ｔ３)を行う。
【０１４２】
集中判断段階(Ｔ３)においては、複数のガスセンサ１６１のうち、特定のガスセンサ１６１に気体状態の変化が一定値以上感知されると、衣類主制御部１８０は特定のガスセンサ１６１の付近に汚染度が特にひどいと判断することができる。
【０１４３】
また集中判断段階(Ｔ３)は１つ以上の内部カメラ１６２が撮影した映像を分析してシワ又は汚染度がひどい対象領域を感知することができる。
【０１４４】
したがって、集中判断段階(Ｔ３)においては、収容空間(Ｓ)の特定の領域に汚染度が特定値を超えるか、又は特定の衣類に汚染度が特定値を超える対象領域が存在するか否かを点検する。特定値は収容空間(Ｓ)の平均汚染度又はシワの程度よりも一定水準高いことを意味する。
【０１４５】
例えば、集中判断段階(Ｔ３)において、汚染領域又はシワ領域が均一に分布されているか、又は汚染領域の汚染度又は特定領域のシワの程度が高くない場合は、対象領域がないと判断する。
【０１４６】
しかし、集中判断段階(Ｔ３)において、汚染領域又はシワ領域が集中しているか、又は汚染領域の汚染度又は特定領域のシワの程度が非常に高い領域を対象領域と確定することができる。
【０１４７】
集中判断段階(Ｔ３)で対象領域の存在有無が確定されると、コース又はオプションを決定するコース決定段階(Ｔ４)が行われる。コース決定段階(Ｔ４)は集中コース段階(Ｔ４−２)と一般コース段階(Ｔ４−１)からなる。
【０１４８】
上述したように、衣類主貯蔵部１７０又はサーバー６００には供給部７００を制御して衣類を再生する任意のコース又はオプションが貯蔵されている。衣類主制御部１８０又はサーバー６００は、任意のコース又はオプションのうち、汚染度又はシワの程度に対応するコース又はオプションを決定する。
【０１４９】
衣類主制御部１８０はセンサ部１６０により汚染度又はシワの程度を感知して熱風又はスチームを供給する任意のコース又はオプションのうち、特定のコースとオプションを決定することができる。
【０１５０】
例えば、同じ衣類であっても、衣類の状態に応じて異なるコース又はオプションが実行される。即ち、同じ衣類が収容空間(ｓ)に配置されていても、汚染度が平常よりひどい場合には、熱風がもっと強くて持続時間が長いコース又はオプションが決定され、シワがひどい場合には、スチームがもっと強くて持続時間が長いコース又はオプションが決定される。
【０１５１】
また衣類主制御部１８０はセンサ部１６０が感知した測定値に基づいて、収容空間(Ｓ)のうち、汚染度又はシワが基準値以上である領域に熱風又はスチームが集中的に供給されるように供給部７００を制御することができる。
【０１５２】
また衣類主制御部１８０はセンサ部１６０が感知した測定値に基づいて、収容空間(Ｓ)に載置された特定の衣類のうち、汚染度又はシワが基準値以上である部分に熱風又はスチームが集中的に供給されるように供給部７００を制御することができる。
【０１５３】
このとき、衣類主制御部１８０はコース又はオプションを決定するとき、集中コースで選択するか或いは一般コースで選択するかを選択することができる。
【０１５４】
集中コースでは任意のコース又はオプションを行うとき、熱風又はスチームを対象領域に集中的に供給する。一般コースでは任意のコース又はオプションを行うとき、熱風又はスチームが収容空間(Ｓ)の全体に均一に供給される。
【０１５５】
集中判断段階(Ｔ３)で対象領域が存在しないと判明されると、一般コースを行う一般コース段階(Ｔ４−１)が決定される。一般コース段階(Ｔ４−１)はセンサ部１６０により感知された衣類の材質、汚染度又はシワの程度に対応するコース又はオプションが決定される段階である。
【０１５６】
集中判断段階(Ｔ３)で対象領域が存在すると判明されると、集中コースを行う集中コース段階(Ｔ４−２)が決定される。集中コース段階(Ｔ４−２)はセンサ部１６０により感知された衣類の材質、汚染度又はシワの程度に対応するコース又はオプションが決定される段階である。
【０１５７】
一方、コース決定段階(Ｔ４)でコースが決定されると、該当コースを衣類表示部１４０に表示するコース表示段階(Ｔ５)が行われる。
【０１５８】
コース表示段階(Ｔ５)は、衣類主制御部１８０又はサーバー６００が決定したコース又はオプションをユーザに推薦する段階である。これにより、ユーザは任意のコース又はオプションについて熟知していないか、又は衣類の状態を正確に把握していなくても、それに対応するコース又はオプションを行うことができる。
【０１５９】
勿論、ユーザは衣類表示部１４０に表示された内容を衣類入力部１５０を入力して拒絶することもできる。例えば、ユーザは衣類入力部１５０で実行ボタンを押圧して任意のコース又はオプションを選択し、衣類の再生行程を行うことができる。これにより、ユーザの自由意志を尊重することができる。
【０１６０】
以下、制御方法が行われる構造又は具体的な実施例について説明する。
【０１６１】
図５は状態点検段階(Ｔ１)及び限界点検段階(Ｔ２)又は集中判断段階(Ｔ３)が行われる一実施例を示す図である。
【０１６２】
図５の(ａ)を参照すると、内箱１２０には収容空間(ｓ)の空気を吸入する吸気口１２１と、収容空間(ｓ)に熱風を供給する排気口１２２と、収容空間(ｓ)にスチームを供給するスチーム口１２３とを含む。
【０１６３】
吸気口１２１は排気口１２２及びスチーム口１２３と離隔して備えられるが、排気口１２２及びスチーム口１２３は隣接して備えられる。例えば、吸気口１２１は後方に設けられ、排気口１２２及びスチーム口１２３は後方に設けられる。これにより、熱風又はスチームが収容空間(ｓ)に供給された後、すぐ吸気口１２１に吸収されてしまうことを防止することができる。
【０１６４】
吸気口１２１は、内箱１２０を貫通する第１吸気口１２１ａと、第１吸気口と離隔して配置される第２吸気口１２１ｂとを含む。
【０１６５】
排気口１２２は、内箱１２０を貫通する第１排気口１２２ａと、第１排気口と離隔して配置される第２排気口１２２ｂとを含む。
【０１６６】
スチーム口１２３は、内箱１２０を貫通する第１スチーム口１２３ａと、第１スチーム口と離隔して配置される第２スチーム口１２３ｂとを含む。
【０１６７】
第１吸気口１２１ａ、第１排気口１２２ａ及び第１スチーム口１２３ａは内箱１２０の一側に偏って設けられるか、又は第２吸気口１２１ｂ、第２排気口１２２ｂａ及び第２スチーム口１２３ｂは内箱１２０の他側に偏って設けられる。
【０１６８】
また、第１吸気口１２１ａ、第１排気口１２２ａ及び第１スチーム口１２３ａは第１ガスセンサ１６１ａに隣接して設けられるか、又は第２吸気口１２１ｂ、第２排気口１２２ｂａ及び第２スチーム口１２３ｂは第２ガスセンサ１６１ｂに隣接して設けられる。
【０１６９】
このとき、衣類主制御部１８０は全ての吸気口１２１で空気を吸収し、全ての排気口１２２で空気を排出しつつ、全てのガスセンサ１６１で収容空間(ｓ)の気体状態の変化を感知しながら汚染度を感知する状態点検段階(Ｔ１)を行う。これと同時に、この汚染度が限界値を超えたか否かを点検する限界点検段階(Ｔ２)を行う。
【０１７０】
例えば、衣類主制御部１８０は収容空間(Ｓ)を第１区域２２１と第２区域２２２に任意に区分する。
【０１７１】
衣類主制御部１８０は第１区域２２１に熱風を供給し、第２区域２２２に熱風を供給して汚染度を把握する。
【０１７２】
衣類主制御部１８０は第１区域２２１と第２区域２２２に同時に熱風を供給して収容空間(Ｓ)の全体汚染度を認識するか、又は第１区域２２１と第２区域２２２に選択的に熱風を供給して第１区域と第２区域の汚染度を別々に認識することができる。
【０１７３】
この方法により、衣類主制御部１８０は収容空間(Ｓ)のうち、どの領域の汚染度が高いか、又はどの領域に汚染度が集中しているかを感知することができる。
【０１７４】
図５の(ｂ)を参照すると、衣類主制御部１８０は、第１排気口１２２ａと第１吸気口１２１ａで熱風を循環して第１ガスセンサ１６１ａにより気体状態の変化を感知し(第Ｉ方向)、第２排気口１２２ｂと第２吸気口１２１ｂで熱風を循環して第２ガスセンサ１６１ｂにより気体状態の変化を感知することができる(第ＩＩ方向)。これにより、衣類主制御部１８０は、収容空間(ｓ)のうち、どの領域に汚染度が集中しているかを点検することができる。言い換えれば、衣類主制御部１８０は収容空間(Ｓ)に対象領域が存在するか否か、存在すればどの付近であるかを把握する集中判断段階(Ｔ３)を行うことができる。
【０１７５】
このとき、対象領域が第１ガスセンサ１６１ａの付近であると、衣類主制御部１８０は第Ｉ方向のみに熱風又はスチームを集中供給する集中コース段階を行う。
【０１７６】
このとき、対象領域が存在しないと、衣類主制御部１８０は図５の(ａ)のように全体領域に熱風又はスチームを供給する。
【０１７７】
図６は熱風又はスチームの供給方向を制御できる供給部の一実施例を示す図である。
【０１７８】
供給部７００は、収容空間(ｓ)に連通して空気が吸入される吸入ダクト７１０と、吸入ダクトに連通し、空気を加熱して熱風を生成する加熱部７５０が設けられるメインダクト７０１と、メインダクト７０１に連通して収容空間(ｓ)に熱風を導く排気ダクト７２０とを含み、さらに吸入ダクト７１０、メインダクト７０１又は排気ダクト７２０のいずれかに備えられて空気を流動させる送風ファン７４０を含む。
【０１７９】
吸入ダクト７１０は第１吸入口１２１ａと第２吸入口１２１ｂに連通して備えられ、衣類収容部２００内の空気が流入される。吸入ダクト７１０は第１吸入口１２１ａに連通する第１吸入ダクト７１１と、第１吸入ダクトと分離されて、第２吸入口１２１ｂに連通する第２吸入ダクト７１２と、第１吸入ダクト及び第２吸入ダクトをメインダクト７０１に連通させる吸入分枝部７１３とを含む。
【０１８０】
メインダクト７０１は吸入分枝部７１３に連通して空気を流動させるように備えられる。メインダクト７０１には加熱部７５０が設けられて衣類収容部２００で収集された空気が熱風に転換される。
【０１８１】
加熱部７５０はメインダクト７０１内に備えられるヒーターからなる。
【０１８２】
一方、メインダクト７０１に流入した空気を除湿する必要があるので、加熱部７５０は空気を冷却して水分を凝縮させる蒸発器７５１と、蒸発器７５１よりも排気ダクト７２０に近く位置して空気を高温乾燥な熱風に変化させる凝縮器７５２と、蒸発器を通過した冷媒を加熱する圧縮機７５３とを含む。図示していないが、さらに凝縮器と蒸発器の間に設けられて冷媒を膨張して冷却させる膨張バルブも含む。
【０１８３】
これにより、第１吸入口１２１ａ又は第２吸入口１２１ｂで流入された空気は全てメインダクト７０１で除湿されて加熱される。排気ダクト７２０は第１内胴２１１と第２内胴２１２に設けられた排出部に連通するように備えられて、加熱部７５０で生成された熱風を衣類収容部２００に伝達することができる。
【０１８４】
排気ダクト７２０は、第１吸入ダクト７１０と離隔して備えられて第１排気口１２２ａに連通する第１排気ダクト７２１と、第１排気ダクトと分離されて第２排気口１２２ｂに連通する第２排気ダクト７２１と、第１排気ダクト及び第２排気ダクトをメインダクトに連通させる排気分枝部７２３とを含む。
【０１８５】
排気分枝部７２３は一端がメインダクト７０１に連通し、他端が第１排気ダクト７２１と第２排気ダクト７２２に連通するように備えられる。これにより、メインダクト７０１を通過しながら生成された熱風は、第１排気ダクト７２１と第２排気ダクト７２２に分散されて排出される。
【０１８６】
供給部７００はさらに収容空間(Ｓ)にスチームを供給するスチーム供給部７３０を含む。
【０１８７】
スチーム供給部７３０はメインダクト７０１又は排気ダクト７２０に連通してメインダクト７０１内に水分を伝達する。これにより、メインダクト７０１で加熱された空気と共に、スチームが収容空間(ｓ)に供給される。
【０１８８】
また、図示のように、スチーム供給部７３０はメインダクト７０１と分離されて備えられ、収容空間(ｓ)にすぐスチームを供給することができる。これにより、スチームがメインダクト７０１に残留してメインダクト７０１を汚染することを防止することができる。
【０１８９】
スチーム供給部７３０は、スチームを発生させるスチーム発生器７３５と、スチーム発生器に結合してスチームを導くスチーム合枝ダクト７３４と、スチーム合枝ダクトから分枝されてスチームを第１スチーム口１２３ａに導く第１スチームダクト７３１と、スチーム合枝ダクトから分枝されてスチームを第２スチーム口１２３ｂに導く第２スチームダクト７３２と、第１スチームダクトと第２スチームダクトをスチーム合枝ダクトに連通させるスチーム分枝部７３３とを含む。
【０１９０】
スチーム供給部７３０で生成されたスチームはスチーム合枝ダクト７３４を経てスチーム分枝部７３３に分散され、第１スチームダクト７３１と第２スチームダクト７３２に伝達される。第１スチームダクト７３１と第２スチームダクト７３２はスチーム口２５０に連通してスチームを第１収容空間２２１と第２収容空間２２２にそれぞれ伝達する。
【０１９１】
供給部７００は、収容空間(ｓ)のうち、特定の領域のみに熱風やスチームを供給するか、又は収容空間(ｓ)全体に熱風やスチームを供給することを決定する流路転換部７６０を含む。
【０１９２】
本発明の一実施例による衣類装置１００は、流路転換部７６０を制御することにより、１つの供給部７００で汚染度又はシワがひどい領域にスチーム又は熱風を集中的に供給することができる。
【０１９３】
図７は流路転換部の一実施例及び対象領域を集中処理する態様を示す図である。
【０１９４】
図７の(ａ)を参照すると、本発明の一実施例において、流路転換部７６０は吸入分枝部７１３、排気分枝部７２３及びスチーム分枝部７３３のうちのいずれかに備えられる。
【０１９５】
流路転換部７６０は吸入分枝部７１３と排気分枝部７２３にそれぞれ備えられて、第１吸入ダクト７１１と第２吸入ダクト７１２、第１排気ダクト７２１と第２排気ダクト７２２に移動する熱風を調節することが好ましい。
【０１９６】
流路転換部７６０は吸入分枝部７１３に備えられて、第１吸入ダクト７１１と第２吸入ダクト７１２のいずれかを選択的に閉鎖するか、又は第１吸入ダクト７１１と第２吸入ダクト７１２を同時に開放する。
【０１９７】
また、流路転換部７６０は排気分枝部７２３に備えられて、第１排気ダクト７１２と第２排気ダクト７２２のいずれかを選択的に閉鎖するか、又は第１排気ダクトと第２排気ダクトを同時に開放する。
【０１９８】
例えば、流路転換部７６０は吸入分枝部７１３や排気分枝部７２３に設けられる三方バルブからなるか、又はダンパー部材からなる。
【０１９９】
流路転換部７６０は第１吸入ダクト７１１と第１排気ダクト７２１又は第２吸入ダクト７１２と第２排気ダクト７２２を常に同時に開放するように備えられる。
【０２００】
具体的には、流路転換部７６０は吸入分枝部に備えられて第１吸入ダクトと第２吸入ダクトのいずれかを選択的に閉鎖するか、又は第１吸入ダクトと第２吸入ダクトを同時に開放する吸入ダンパー７６１を含み、排気分枝部に備えられて第１排気ダクトと第２排気ダクトのいずれかを選択的に閉鎖するか、又は第１排気ダクトと第２排気ダクトを同時に開放する排気ダンパー７６２を含む。
【０２０１】
本発明の一実施例において、流路転換部７６０は、スチーム分枝部７３３に備えられて第１スチームダクトと第２スチームダクトのいずれかを選択的に閉鎖するか、又は第１スチームダクトと第２スチームダクトを同時に開放するスチームダンパー７６４を含む。これにより、本発明の一実施例において、衣類処理装置の制御部はより少ない数の部品を制御することにより第１収容空間２２１と第２収容空間２２２に供給される熱風やスチームを調節することができる。
【０２０２】
衣類主制御部１８０は流路転換部７６０を制御して収容空間のうちの第１領域２２１にＩ方向に熱風又はスチームを供給するか、又は第２領域２２２にＩＩ方向に熱風又はスチームを供給する。
【０２０３】
衣類主制御部１８０は流路転換部７６０で第Ｉ方向又は第ＩＩ方向に熱風又はスチームを順に供給し、センサ部１６１で感知した測定値の差を演算して収容空間(ｓ)のうち、汚染度又はシワがひどい領域を把握するか、又は収容空間(Ｓ)に載置された特定の衣類の汚染度又はシワがひどい部分を把握する。
【０２０４】
図７の(ｂ)を参照すると、衣類主制御部１８０は汚染度又はシワがひどい領域や部分を感知したところに集中的に熱風又はスチームを供給することができる。
【０２０５】
例えば、第１領域２２１の汚染度又はシワがひどいと判断されると、第１方向のみに熱風又はスチームを集中的に供給することができる。
【０２０６】
図８はセンサ部１６０の内部カメラ１６２による制御方法が適用される実施例を示す図である。
【０２０７】
状態感知段階(Ｔ１)において、内部カメラ１６２は内箱１２０の内面に備えられて収容空間(ｓ)を撮影する。内部カメラ１６２は深さカメラなどからなり、収容空間(ｓ)に載置された衣類の３Ｄ形状を把握する。
【０２０８】
一例として、内部カメラ１６２はさらに内箱の両側面に備えられる側面カメラ１６２ａ、内箱の背面に備えられる背面カメラ１６２ｂ、ドア１１１の内面に備えられる前面カメラ１６２ｄ、内箱の下面に備えられる下部カメラ１６２ｃ及び内箱１２０の上部又は上端に備えられる上部カメラ１６２ｅを含む。
【０２０９】
内部カメラ１６２は衣類が収容されると、衣類の露出面を撮影する。衣類主制御部１８０はそれを分析して衣類のシワ又は汚染度を感知する状態点検段階(Ｔ１)を行う。これと同時に、衣類主制御部１８０はシワの程度又は汚染度が限界値以上であるか否かを点検する限界点検段階(Ｔ２)も同時に行う。
【０２１０】
さらに衣類主制御部１８０は、衣類のうち、どの部分にシワが多く発生したか、またどの部分の汚染度がひどいかを把握する集中判断段階(Ｔ３)を行う。
【０２１１】
図９は衣類主制御部１８０が集中判断段階(Ｔ３)を行う他の実施例を示す図である。
【０２１２】
衣類主制御部１８０は内部カメラ１６２が撮影した映像を分析してユーザが衣類を着用したとき、どの部分にシワが多く発生するかを演算することができる。
【０２１３】
例えば、衣類主制御部１８０は内部カメラ１６２により衣類が外套(Ａ１)であることを把握することができる。
【０２１４】
即ち、衣類主制御部１８０は、衣類のうち、シワが多く発生するポイント(Ｐ)を予め予測することができる。このポイント(Ｐ)により、衣類のうち、関節(Ｐ２、Ｐ３)に該当する部分、腕又は足などの四肢部分と胴体部分の結合部分(Ｐ１)にシワが発生することを予想することができる。
【０２１５】
集中判断段階(Ｔ３)において、衣類主制御部１８０はこのポイント(Ｐ)を対象領域として確定する。
【０２１６】
また集中コース段階(Ｔ４)において、衣類主制御部１８０はこのポイント(Ｐ)に熱風又はスチームを集中的に供給するコース又はオプションを決定する。
【０２１７】
図１０は対象領域を集中処理する他の実施例を示す図である。
【０２１８】
本発明の一実施例において、供給部は排気ダクトとスチームダクトに連通して収容空間(ｓ)にスチーム又は熱風を導く複数の案内ダクト(Ｄ)を含む。
【０２１９】
複数の案内ダクト(Ｄ)は供給部で内箱の両側面又は背面のいずれかに連通される。また複数の案内ダクト(Ｄ)は内箱の高さ方向又は幅方向のいずれか一方向に沿って離隔して複数個が備えられる。
【０２２０】
案内ダクト(Ｄ)は排気ダクト７２０又はスチーム供給部７３０に連通して備えられる。
【０２２１】
また内箱１２０は内面に離隔して配置され、案内ダクト(Ｄ)と連通する複数の集中部１２２１,１２２２,１２２３を含む。
【０２２２】
集中部は内箱１２０を貫通して備えられ、互いに高さ方向又は幅方向に離隔して形成される。集中部は内箱の高さ方向又は幅方向に沿って複数個が形成される。
【０２２３】
一例として、集中部は複数の貫通孔からなり、案内ダクト(Ｄ)は貫通孔に対応するパイプからなることもできる。
【０２２４】
なお、供給部７００は外面に案内ダクト(Ｄ)と連通するバイパス孔７７０を含む。
【０２２５】
集中部は内箱１２０の両側に備えられる。
【０２２６】
例えば、集中部は、下側に備えられる第１集中部１２２１、第１集中部１２２１よりも上部に備えられる第２集中部１２２２、及び第２集中部１２２１よりも上部に備えられる第３集中部１２２３を含む。
【０２２７】
複数の案内ダクト(Ｄ)は流路転換部により個々に開閉される。流路転換部はダンパー又はバルブなどからなり、複数の案内ダクト(Ｄ)上に備えられる。流路転換部は案内ダクト(Ｄ)を個々に制御できれば、いかなる構造や位置に備えられてもよい。
【０２２８】
第１集中部１２２１は内箱１２０の両側に互いに対向するか又はすれ違って備えられ、第２集中部１２２２は内箱１２０の両側に互いに対向するか又はすれ違って備えられ、第３集中部１２２３は内箱１２０の両側に互いに対向するか又はすれ違って備えられる。
【０２２９】
対象領域が下部(Ｓ１)に備えられる場合、衣類主制御部１８０は第１集中部１２２１に熱風又はスチームを供給することができる。
【０２３０】
対象領域が中部(Ｓ２)に備えられる場合、衣類主制御部１８０は第２集中部１２２２に熱風又はスチームを供給することができる。
【０２３１】
対象領域が上部(Ｓ３)に備えられる場合は、衣類主制御部１８０は第３集中部１２２３に熱風又はスチームを供給することができる。
【０２３２】
勿論、衣類主制御部１８０は対象領域が複数個備えられた場合には、流路転換部を制御してそれぞれに対応する領域の集中部を開放することができる。これにより、衣類主制御部１８０は内箱１２０の特定の部分に汚染度又はシワがひどい場合、特定の案内ダクト(Ｄ)のみを開放して熱風又はスチームを集中的に供給することができる。
【０２３３】
図１１は対象領域を集中処理できるさらに他の実施例を示す図である。
【０２３４】
内箱１２０は内面に離隔して配置される複数の集中部１２２１,１２２２,１２２３を含む。
【０２３５】
複数の集中部１２２１,１２２２,１２２３は内箱１２０を貫通して備えられ、内箱１２０の幅方向に沿って設けられる。
【０２３６】
複数の集中部１２２１,１２２２,１２２３は互いに高さ方向に一定距離離隔して設けられる。
【０２３７】
複数の集中部は、下側に備えられる第１集中部１２２１、第１集中部１２２１よりも上部に備えられる第２集中部１２２２、及び第２集中部１２２１よりも上部に備えられる第３集中部１２２３を含む。
【０２３８】
供給部７００は、内箱の高さに沿って延びて熱風又はスチームが移動する基本ダクト(Ｄｍ)と、基本ダクトで複数の集中部にそれぞれ延びて熱風又はスチームを伝達する複数の分枝ダクト(Ｄ１,Ｄ２,Ｄ３)を含む。
【０２３９】
基本ダクト(Ｄｍ)は内箱１２０とキャビネット１１０の間に備えられ、内箱１２０の背面に位置する。
【０２４０】
複数の分枝ダクト(Ｄ１,Ｄ２,Ｄ３)は基本ダクト(ＤＭ)において内箱１２０の背面又は両側面まで延びる。
【０２４１】
複数の集中部は複数の分枝ダクト(Ｄ１,Ｄ２,Ｄ３)のうち、内箱１２０の内周面に対応する部分が貫通して備えられる。
【０２４２】
基本ダクト(Ｄｍ)において、熱風又はスチームが全部供給されると、複数の分枝ダクト(Ｄ１,Ｄ２,Ｄ３)に分枝されてそれぞれの集中部に供給される。
【０２４３】
複数の分枝ダクトは、第１集中部１２２１に連通する第１分枝ダクト(Ｄ１)と、第２集中部１２２２に連通する第２分枝ダクト(Ｄ２)と、第３集中部１２２３に連通する第３分枝ダクト(Ｄ３)とを含む。
【０２４４】
複数の分枝ダクトにはさらにそれぞれ開閉が調節される流路転換部が備えられる。衣類主制御部は流路転換部を制御して対象領域に熱風又はスチームを供給する。
【０２４５】
これにより、対象領域が下部(Ｓ１)に備えられる場合、衣類主制御部１８０は第１集中部１２２１に熱風又はスチームを供給することができる。
【０２４６】
対象領域が中部(Ｓ２)に備えられる場合、衣類主制御部１８０は第２集中部１２２２に熱風又はスチームを供給することができる。
【０２４７】
対象領域が上部(Ｓ３)に備えられる場合は、衣類主制御部１８０は第３集中部１２２３に熱風又はスチームを供給することができる。
【０２４８】
勿論、衣類主制御部１８０は対象領域が複数個備えられた場合には、流路転換部を制御してそれぞれに対応する分枝ダクトを開放することができる。
【０２４９】
また衣類主制御部１８０は内箱１２０の特定の部分に汚染度又はシワがひどい場合、特定の分枝ダクトのみを開放して熱風又はスチームを集中的に供給することができる。
【０２５０】
図１２は衣類装置１００が洗濯機３００に直接シワ又は汚染度の情報を送って洗濯機３００でコース又はオプションが決定される実施例を示す図である。
【０２５１】
この実施例の最大の特徴は、サーバー６００は衣類装置１００と洗濯機３００のペアリングを設定又は維持する手段であり、洗濯機３００は衣類装置１００からシワ又は汚染度を受信して、直接それらに対応する洗濯コースと洗濯オプションを決定することである。
【０２５２】
具体的には、本発明の一実施例において、オンラインシステムは、衣類の再生を行う任意の再生コース又は再生オプションを行う衣類装置１００と、衣類の異物質を除去する洗濯行程(ｗａｓｈｉｎｇ ｃｙｃｌｅ)を行う任意の洗濯コース又は洗濯オプションを行う洗濯機３００を含む。
【０２５３】
衣類装置１００は衣類通信モジュール２６０によりシワ又は汚染度を洗濯機に提供し、洗濯機３００は洗濯通信モジュール３６０により衣類通信モジュールから提供された汚染度又はシワの情報を受信する。
【０２５４】
洗濯通信モジュール３６０は、洗濯機の作動が停止した状態でも衣類通信モジュールが提供した汚染度又はシワ情報を貯蔵する洗濯通信貯蔵部３６２を含む。
【０２５５】
洗濯通信モジュール３６０はさらに、衣類通信モジュールにより汚染度又はシワ情報を受信すると、任意の洗濯コース又は洗濯オプションのうち、衣類通信モジュールが提供した汚染度又はシワ情報に対応する洗濯コース又は洗濯オプションを決定して洗濯表示部又は洗濯主制御部に提供する洗濯通信制御部３６２を含む。
【０２５６】
洗濯主制御部３７０は洗濯コース又は洗濯オプションを決定すると、この決定された洗濯コース又は洗濯オプションを直ちに洗濯表示部３４０に表示する。
【０２５７】
洗濯機３００はさらに、任意の洗濯コース又は洗濯オプションのうち、衣類通信モジュールから提供された汚染度又はシワ情報を洗濯表示部３４０に表示することを指示する洗濯入力部３５０を含み、洗濯主制御部３７０は洗濯入力部３５０が入力されると、決定された洗濯コース又は洗濯オプションを洗濯表示部に伝達する。
【０２５８】
また洗濯通信モジュール３６０は洗濯入力部３５０が入力されると、衣類通信モジュールで実行された汚染度又はシワ情報を受信するように備えられる。
【０２５９】
具体的には、図８を参照しながら、詳しい制御方法の一実施例について説明する。
【０２６０】
衣類装置１００と洗濯機３００は直接互いにペアリングされた状態が維持されて相互認識及び相互通信が可能な状態で備えられる。
【０２６１】
衣類装置１００のセンサ部１６０は収容空間(ｓ)に収容された衣類のシワ又は汚染度を測定する測定段階(Ｅ１)を行う。
【０２６２】
衣類装置１００の衣類主制御部１７０はシワ又は汚染度の程度を演算する演算段階(Ｅ２)を行う。演算段階(Ｅ２)において、衣類主制御部１７０はシワ又は汚染度が基準値以下であると、それに対応する再生コース又はオプションを決定する。しかし、演算段階(Ｅ２)において、シワ又は汚染度が基準値以上であると、シワ又は汚染度の程度を洗濯機３００に発信することを決定する。
【０２６３】
衣類装置１００は汚染度又はシワ情報が基準値以上であると、衣類通信モジュール２６０により洗濯通信モジュール３６０に発信する発信段階(Ｅ３)を行う。
【０２６４】
洗濯機３００は汚染度又はシワ情報が受信されると、洗濯通信制御部３６２又は洗濯主制御部３７０が汚染度とシワ情報に対応する洗濯コースと洗濯オプションを決定する。
【０２６５】
洗濯貯蔵部３８０には汚染度又はシワ情報に対応する任意の洗濯コースとオプションがテーブル形態で貯蔵されている。したがって、洗濯通信制御部３６２又は洗濯主制御部３７０はテーブルに一致する洗濯コースとオプションを決定することができる。
【０２６６】
したがって、洗濯通信制御部３６２、洗濯主制御部３７０及びサーバー６００のいずれかは、洗濯機３００の洗濯表示部３４０に上記決定された洗濯コース又は洗濯オプションを表示してユーザに直ちに推薦することができる。
【０２６７】
以下、洗濯機３００が汚染度又はシワの情報を受信してそれをユーザに推薦する実施例について、図１２の(ａ)乃至図１２の(ｄ)を参照しながら説明する。
【０２６８】
図１２の(ａ)を参照すると、洗濯機３００は作動が停止した状態でも洗濯通信モジュール３６０には電源が持続して供給される状態が維持される。
【０２６９】
したがって、汚染度又はシワに関する情報が衣類装置１００で発信されると、洗濯機３００は汚染度又はシワに関する情報を受信するシワ／汚染度受信段階(Ｅ４ａ)を行う。
【０２７０】
このとき、洗濯機３００の洗濯通信モジュール３６０は洗濯通信制御部３６２を介してシワ／汚染度に対応する洗濯コースと洗濯オプションを決定する決定段階(Ｅ５ａ)を行う。これと同時に、洗濯通信モジュール３６０はシワ／汚染度を受信すると、シワ／汚染度を通信貯蔵部３６３に貯蔵する。
【０２７１】
その後、洗濯機３００は洗濯主制御部３７０の電源がオンになったか否かを点検する電源供給感知段階(Ｅ６ａ)を行う。ユーザが洗濯機３００の電源ボタンを入力して洗濯主制御部に電源が供給されると、洗濯通信制御部３６２は上記決定された洗濯コースと洗濯オプションを洗濯主制御部３７０に伝達するか、又は洗濯表示部３４０に直接伝達して上記決定された洗濯コース又は洗濯オプションを直ちに表示する表示段階(Ｅ７ａ)を行う。
【０２７２】
結果として、図８の(ａ)の制御方法は、洗濯機３００が汚染度／シワを受信した後、直ちにそれに対応する洗濯コースと洗濯オプションを決定することを特徴とする。これにより、ユーザが洗濯機の電源をオンして洗濯主制御部３７０に電源を供給すると、洗濯機３００は迅速に洗濯コースと洗濯オプションを表示できるという長所がある。
【０２７３】
言い換えれば、洗濯機３００は衣類装置１００から汚染度又はシワに関する情報を受信すると、それに対応する洗濯コース又は洗濯オプションを直ちに決定して、洗濯機３００に電源が供給された後、直ちにユーザに洗濯コース又は洗濯オプションを推薦することができる。
【０２７４】
その後、ユーザは洗濯入力部３５０の動作又は実行ボタンの入力を押圧するだけで、上記決定された洗濯コースと洗濯オプションを行うことができる。勿論、上記推薦された洗濯コース又は洗濯オプションに満足しない場合は、ユーザは洗濯機３００の洗濯入力部３５０を入力して任意の洗濯コース又はオプションを自ら決定することもできる。
【０２７５】
図１２の(ｂ)は他の実施例を示す図である。図８の(ｂ)の制御方法でも洗濯機３００は作動が停止した状態でも洗濯通信モジュール３６０や洗濯入力部３５０には電源が持続して供給される状態が維持される。
【０２７６】
したがって、汚染度又はシワに関する情報が衣類装置１００から発信されるか、発散又は表示されると、洗濯機３００は汚染度又はシワを受信するシワ／汚染度受信段階(Ｅ４ｂ)を行う。
【０２７７】
このとき、洗濯機３００の洗濯通信モジュール３６０は、汚染度又はシワをまず洗濯通信貯蔵部３６３に貯蔵して、洗濯主制御部３７０の電源がオンになっているか否かを点検する電源供給感知段階(Ｅ５ｂ)を行う。
【０２７８】
言い換えれば、図８の(ａ)の制御方法とは異なり、洗濯通信モジュール３６０は汚染度又はシワ情報に対応する洗濯コースと洗濯オプションを直接決定することではなく、単に洗濯通信貯蔵部３８０に貯蔵することができる。これにより、洗濯通信モジュール３６０の洗濯通信制御部３６２に過当な負荷が集中することを防止することができる。
【０２７９】
ユーザが洗濯機３００の電源を供給すると、洗濯主制御部３７０は汚染度又はシワ情報に対応する洗濯コース又は洗濯オプションを決定する決定段階(Ｅ６ｂ)を行う。即ち、洗濯主制御部３７０は電源が供給されると、汚染度又はシワ情報を受信して、それに対応する洗濯コースと洗濯オプションを決定する。
【０２８０】
その後、洗濯主制御部３８０は洗濯表示部３４０に上記決定された洗濯コース又は洗濯オプションを直ちに表示する表示段階(Ｅ７ｂ)を行う。
【０２８１】
これにより、洗濯機３００は、衣類装置１００から汚染度又はシワが受信されると、電源が供給される後、直ちにそれに対応する洗濯コース又は洗濯オプションを決定することができる。その後、洗濯機３００に電源が供給されると、直ちにユーザに洗濯コース又は洗濯オプションを推薦することができる。その結果、ユーザが任意の洗濯コース又は洗濯オプションを直接入力する煩わしさが解消される。
【０２８２】
図１２の(ｃ)はさらに他の実施例を示す図である。
【０２８３】
図１２の(ｃ)を参照すると、洗濯機３００は作動が停止した状態でも洗濯通信モジュール３６０には電源が持続して供給された状態が維持される。
【０２８４】
したがって、汚染度又はシワに関する情報が衣類装置１００から発信されると、洗濯機３００は汚染度又はシワに関する情報を受信する汚染度／シワ情報受信段階(Ｅ４ｃ)を行うことができる。
【０２８５】
汚染度／シワ情報が受信されると、洗濯機３００の洗濯通信モジュール３６０は、汚染度／シワ情報をまず洗濯通信貯蔵部３６３に貯蔵して、洗濯主制御部３７０の電源がオンになっているか否かを点検する電源供給感知段階(Ｅ５ｃ)を行う。
【０２８６】
洗濯機は電源が供給されると、洗濯主制御部３７０はユーザに洗濯入力部３５０を介して洗濯コースとオプションを推薦しようとする推薦ボタンの入力があるか否かを感知する入力感知段階(Ｅ６ｃ)を行う。推薦ボタンは洗濯入力部３５０のうち、洗濯コースとオプションを推薦する別途のボタンであるか、或いは推薦を活性化するためのボタンの組み合わせにより備えられる。
【０２８７】
ユーザが洗濯入力部３５０を直接入力して洗濯コースと洗濯オプションの推薦を受けたいという意思を入力すると、洗濯主制御部３７０は上記汚染度又はシワに関する情報に基づいて、それらに対応する洗濯コースと洗濯オプションを決定する決定段階(Ｅ７ｃ１)を行い、決定された洗濯コースと洗濯オプションを洗濯表示部３５０に表示する表示段階(Ｅ８ｃ)を行う。
【０２８８】
一方、洗濯機は入力感知段階が行われると、ユーザが洗濯入力部３５０を介して洗濯コース又は洗濯オプションを直接入力したか否かを感知する入力待機段階(Ｅ７ｃ２)を同時に行うことができる。
【０２８９】
これにより、洗濯機３００と衣類装置１００がペアリングされた状態であっても、汚染度又はシワ情報に対応する洗濯コースと洗濯オプションの推薦を受けたいというユーザの意思を反映することができる。したがって、ユーザの意思に関係なく洗濯機３００の表示部に洗濯コース又は洗濯オプションが推薦されることを排除することができる。
【０２９０】
図１２の(ｄ)はさらに他の制御方法の実施例を示す図である。
【０２９１】
図１２の(ｄ)を参照すると、衣類装置１００から汚染度又はシワ情報が発信されても、洗濯機３００は推薦ボタンの入力を感知する入力感知段階(Ｅ４ｄ)を行い、入力感知段階で推薦ボタンの入力が感知されないと、洗濯情報受信段階(Ｅ５ｃ１)と決定段階(Ｅ６ｃ)と表示段階(Ｅ７ｃ)を行わない。
【０２９２】
言い換えれば、洗濯機３００は入力感知段階で推薦ボタンの入力が感知されないと、汚染度又はシワ情報を受信しないか、或いは受信してもそれに対応する洗濯コースと洗濯オプションを決定しない。これにより、ユーザの推薦意思がないときに無理に洗濯主制御部又は洗濯通信モジュールを作動させることを省略して、不要な負荷の発生を除去することができる。
【０２９３】
この場合、電源供給感知段階は省略できる。推薦ボタンの入力有無を感知するためには、洗濯機３００に電源が供給される状態であることが前提されるためである。
【０２９４】
その結果、ユーザが洗濯機３００に電源をオンして、能動的に推薦ボタンを入力したときにのみ洗濯コース又は洗濯オプションの推薦を自動的に受けることができる。
【０２９５】
なお、洗濯機は入力感知段階が行われると、ユーザが洗濯入力部３５０を介して洗濯コース又は洗濯オプションを直接入力したか否かを感知する入力待機段階(Ｅ５ｄ２)を同時に行うことができる。
【０２９６】
図１３は衣類装置１００がサーバー６００により洗濯機３００でコース又はオプションを決定する実施例を示す図である。
【０２９７】
本発明の一実施例において、オンラインシステムは、シワ又は汚染度を発信する衣類通信モジュール２６０を含む衣類装置１００と、衣類通信モジュールが発信したシワ又は汚染度を受信して、衣類の異物質を除去する洗濯行程(ｄｒｙｉｎｇ ｃｙｃｌｅ)を行う任意の洗濯コース又は洗濯オプションのうち、シワ又は汚染度に対応する洗濯コース又は洗濯オプションを決定するサーバー６００と、サーバーで決定された洗濯コース又は洗濯オプションを行う洗濯機３００とを含む。
【０２９８】
洗濯機３００は、サーバーで決定された洗濯コース又は洗濯オプションを受信する洗濯通信モジュール３６０と、受信された洗濯コース又は洗濯オプションを表示する洗濯表示部３４０を含む。
【０２９９】
洗濯通信モジュール３６０は洗濯機の作動が停止した状態でもサーバーと通信するように備えられ、サーバー６００は洗濯コース又は洗濯オプションが決定されると、洗濯通信モジュールに洗濯コース又は洗濯オプションを発信する。
【０３００】
洗濯通信モジュール３６０は洗濯機に電源が供給されたことを感知すると、洗濯コース又は洗濯オプションをサーバーに要請して受信することもできる。
【０３０１】
洗濯機３００はさらにサーバーで決定された洗濯コース又は洗濯オプションを表示することを指示する洗濯入力部３５０を含み、洗濯表示部３４０は洗濯入力部が入力されると、洗濯通信モジュールで受信された洗濯コース又は洗濯オプションを表示する。
【０３０２】
また洗濯通信モジュール３６０は洗濯入力部３５０が入力されると、洗濯コースと洗濯オプションをサーバー６００に要請して受信することもできる。
【０３０３】
言い換えれば、図１３のオンラインシステムは、サーバーが汚染度又はシワに関する情報を受信してそれに対応する洗濯コースと洗濯オプションを直接決定することを特徴とする。これにより、洗濯機３００に単純に洗濯コースと洗濯オプションを伝達し、洗濯機３００はそれを表示又は実行すればよい。
【０３０４】
従って、洗濯機３００の制御部に過当な負荷が発生するか、又は並列演算装置のような高性能の追加部品がさらに設定される必要がない。よって、洗濯機の生産コストを下げることができ、既存の洗濯機にも図９の制御方法を適用できるという長所がある。
【０３０５】
具体的には、図１３を参照しながら、制御方法の実施例について具体的に説明する。
【０３０６】
衣類装置１００と洗濯機３００はサーバー６００を互いにペアリングした状態が維持されて相互認識及び相互通信が可能な状態で備えられる。
【０３０７】
衣類装置１００のセンサ部１６０は収容空間(ｓ)に収容された衣類のシワ又は汚染度を測定する測定段階(Ｆ１)を行う。衣類装置１００の衣類主制御部１７０はシワ又は汚染度の程度を演算する演算段階(Ｆ２)を行う。演算段階(Ｆ２)において、衣類主制御部１７０はシワ又は汚染度が基準値以下であると、それに対応する再生コース又はオプションを決定する。なお、演算段階(Ｆ２)において、シワ又は汚染度が基準値以上であると、シワ又は汚染度の程度をサーバー６００に発信することを決定する。
【０３０８】
衣類装置１００の衣類通信モジュール３６０は汚染度又はシワ情報をサーバー６００に発信する発信段階(Ｆ３)を行う。サーバー６００は通信装置６１０で汚染度又はシワ情報を受信する汚染度／シワ情報受信段階(Ｆ４)を行い、演算処理装置６２０で汚染度／シワ情報を処理して、シワ又は汚染度に対応する洗濯コースと洗濯オプションを決定する決定段階(Ｆ５)を行う。
【０３０９】
サーバーの貯蔵装置６３０には汚染度又はシワ情報に対応する任意の洗濯コースとオプションがテーブル形態で貯蔵されている。また、サーバー６００は汚染度又はシワ情報に対応する洗濯コース又は洗濯オプションを自ら判断して決定することができる。
【０３１０】
したがって、サーバー６００は洗濯機３００の洗濯表示部３４０に上記決定された洗濯コース又は洗濯オプションを表示してユーザに推薦するように誘導することができる。
【０３１１】
具体的には、図１３の(ａ)乃至図１３の(ｄ)を参考しながら、サーバー６００で決定された洗濯コースと洗濯オプションを洗濯機の洗濯表示部３４０に表示する制御方法について説明する。
【０３１２】
図１３の(ａ)を参照すると、サーバーの通信装置６１０は演算装置で決定された洗濯コースと洗濯オプションを衣類装置１００とペアリングされた洗濯機３００に発信する洗濯コース／オプション発信段階(Ｆ６ａ)を行う。
【０３１３】
洗濯機３００の洗濯通信モジュール３６０は、洗濯機の洗濯主制御部３７０に電源が供給された状態ではなくても、洗濯コースと洗濯オプションを受信する洗濯コース／オプション受信段階(Ｆ７ａ)を行う。
【０３１４】
洗濯通信モジュール３６０は、洗濯主制御部３７０に電源が供給されているか否かを点検して、洗濯主制御部３７０に電源が供給されていないと、電源が供給されるまで待機する電源供給感知段階(Ｆ８ａ)を行う。
【０３１５】
洗濯主制御部３７０は電源が供給されると、洗濯通信モジュール３６０から洗濯コースと洗濯オプションを受信して、洗濯表示部３５０に洗濯コースと洗濯オプションを表示する表示段階(Ｆ９ａ)を行う。
【０３１６】
これにより、衣類装置１００で演算されたシワ又は汚染度がサーバー６００に伝達されてそれに対応する洗濯コースと洗濯オプションが決定され、洗濯機３００の作動のために電源が供給されると、洗濯表示部３４０に表示してユーザに推薦することができる。
【０３１７】
図１３の(ｂ)は図１３の(ａ)とは異なる制御方法を示す図である。
【０３１８】
図１３の(ｂ)を参照すると、洗濯通信モジュール３６０は洗濯機３００の電源が供給されているか否かを感知する電源供給感知段階(Ｆ６ｂ)を行う。
【０３１９】
電源供給感知段階(Ｆ６ｂ)で洗濯機３００の電源が供給されると、洗濯通信モジュール３６０はサーバー６００に洗濯機３００の電源が供給されたという情報を含む状態情報を送信する。サーバー６００は洗濯機の電源が供給されたという状態情報を受信すると、演算装置で決定された洗濯コース又は洗濯オプションを洗濯機３００の洗濯通信モジュール３６０に発信する発信段階(Ｆ７ｂ)を行う。
【０３２０】
洗濯通信モジュール３６０はサーバーで洗濯コース又は洗濯オプションを受信する受信段階(Ｆ８ｂ)を行う。受信段階において、洗濯通信モジュール３６０は洗濯通信貯蔵部３８０に洗濯コース又は洗濯オプションを貯蔵するか又は洗濯主制御部３７０に伝達する。
【０３２１】
洗濯機３００は洗濯通信貯蔵部３８０に貯蔵されるか又は洗濯主制御部３７０に伝達された洗濯コースと洗濯オプションを表示する表示段階(Ｆ９ｂ)を行う。
【０３２２】
これにより、洗濯通信モジュール３６０とサーバー６００が一般的に送受信する過程を用いて、洗濯コースと洗濯オプションを伝達して通信効率性を極大化することができる。
【０３２３】
図１３の(ｃ)はさらに他の制御方法を示す図である。
【０３２４】
図１３の(ｃ)を参照すると、洗濯通信モジュール３６０は洗濯機３００の電源が供給されているか否かを感知する電源供給感知段階(Ｆ６ｃ)を行う。
【０３２５】
電源供給感知段階(Ｆ６ｂ)において、洗濯機３００の電源が供給されると、洗濯通信モジュール３６０はサーバー６００に洗濯機３００の電源が供給されたという情報を含む状態情報を送信する。
【０３２６】
サーバー６００は洗濯機の電源が供給された状態情報を受信すると、演算装置で決定された洗濯コース又は洗濯オプションを洗濯通信モジュール３６０に発信する発信段階(Ｆ７ｃ)を行う。
【０３２７】
洗濯通信モジュール３６０はサーバーで洗濯コース又は洗濯オプションを受信する受信段階(Ｆ８ｃ)を行う。
【０３２８】
洗濯コース又は洗濯オプションを洗濯通信モジュール３６０が受信すると、洗濯機３００は洗濯入力部３５０を介して洗濯コースと洗濯オプションを推薦しようとする推薦ボタンの入力があるか否かを感知する入力感知段階(Ｆ９ｃ)を行う。
【０３２９】
ユーザが洗濯入力部３５０を直接入力して洗濯コースと洗濯オプションの推薦を受けたいという意思を入力すると、洗濯主制御部３７０は上記受信された洗濯コースと洗濯オプションを洗濯表示部３４０に表示する表示段階(Ｆ１０ｃ１)を行う。
【０３３０】
なお、洗濯機３００は入力感知段階が行われると、ユーザが洗濯入力部３５０に洗濯コース又は洗濯オプションを直接入力したか否かを感知する入力待機段階(Ｆ１０ｃ２)を行う。入力待機段階によりユーザがサーバー６００から洗濯コースと洗濯オプションの推薦を受けたいという意思を入力せず、直接洗濯コースと洗濯オプションを入力すると、洗濯主制御部３７０は推薦された洗濯コースと洗濯オプションは無視し、直接入力された洗濯コース又は洗濯オプションで洗濯機３００を作動させる。
【０３３１】
これにより、洗濯機３００と衣類装置１００がペアリングされた状態であっても、衣類装置１００に対応する洗濯コースと洗濯オプションの推薦を受けたいというユーザの意思を反映することができる。したがって、ユーザの意思に関係なく洗濯機３００の表示部に洗濯コース又は洗濯オプションが推薦されることを防止することができる。
【０３３２】
図１３の(ｄ)はさらに他の制御方法を示す図である。
【０３３３】
図１３の(ｄ)を参照すると、サーバーで洗濯コースと洗濯オプションが決定されるか、又は洗濯機３００に電源が供給されても、洗濯機３００は推薦ボタンの入力を感知する入力感知段階(Ｆ５ｄ)を行う。
【０３３４】
入力感知段階において、推薦ボタンの入力が感知されると、洗濯通信モジュール３６０はサーバー６００に要請してサーバー６００が洗濯コースと洗濯オプションを発信するようにするサーバー発信段階(Ｆ７ｄ１)を行う。
【０３３５】
洗濯通信モジュール３６０はサーバーで洗濯コースと洗濯オプションを受信する受信段階(Ｆ８ｄ)を行い、洗濯主制御部３７０は上記受信された洗濯コースと洗濯オプションを洗濯表示部３４０に表示する表示段階(Ｆ９ｄ)を行う。
【０３３６】
なお、洗濯機３００は入力感知段階が行われると、ユーザが洗濯入力部３５０に洗濯コース又は洗濯オプションを直接入力したか否かを感知する入力待機段階(Ｆ７ｄ２)を行う。入力待機段階によりユーザがサーバー６００から洗濯コースと洗濯オプションの推薦を受けたいという意思を入力せず、直接洗濯コースと洗濯オプションを入力すると、洗濯機３００はサーバー６００から洗濯コース又は洗濯オプションを受信する過程自体を省略する。
【０３３７】
これにより、洗濯機３００と衣類装置１００がペアリングされた状態であっても、衣類のシワ又は汚染度に対応する洗濯コースと洗濯オプションの推薦を受けたいというユーザの意思が反映されるだけではなく、不要にサーバー６００と洗濯機３００が通信したりデータをやり取りしたりすることを省略することができる。
【０３３８】
本発明は様々な形態に変形して実施でき、上記実施例に本発明の権利範囲が限定されない。従って、変形した実施例が本発明の特許請求の範囲の構成要素を含んでいる場合、本発明の権利範囲に属するものと解釈できる。
【図１】
2021535822.tif 000003
【図２】
2021535822.tif 000004
【図３】
2021535822.tif 000005
【図４】
2021535822.tif 000006
【図５】
2021535822.tif 000007
【図６】
2021535822.tif 000008
【図７】
2021535822.tif 000009
【図８】
2021535822.tif 000010
【図９】
2021535822.tif 000011
【図１０】
2021535822.tif 000012
【図１１】
2021535822.tif 000013
【図１２】
2021535822.tif 000014
【図１３】
2021535822.tif 000015
【国際調査報告】
2021535822.tif 000016
2021535822.tif 000017
2021535822.tif 000018
2021535822.tif 000019